(57)【特許請求の範囲】
【請求項１】
光源と、
外周端面に前記光源からの光が入射される光入射面を有するとともに一方の板面に光を出射する光出射面を有する導光板と、
前記導光板に対して前記光出射面側に配されて前記光出射面からの出射光に拡散作用を付与する光拡散部材であって、少なくとも前記光源側の端側部分を、前記出射光を拡散させる拡散度合いが前記光源側の端位置に近づくのに従って高くなる可変拡散部としてなる光拡散部材と、を備え、
前記光源は、複数が前記光入射面に沿って間隔を空けて並んで配されており、
前記可変拡散部は、前記光源の並び方向について前記光源と重なり合う位置関係とされる光源配置部と、前記光源の並び方向について前記光源とは重なり合わない位置関係とされる光源非配置部と、に区分されるとともに、前記光源配置部における前記拡散度合いが、前記光源非配置部における前記拡散度合いよりも相対的に高いものとされ、
前記光源配置部は、前記可変拡散部における前記光源側の端位置において前記拡散度合いが最大となるのに対し、前記光源非配置部は、前記可変拡散部における前記光源側の端位置よりも手前の位置にて前記拡散度合いが最大となり且つその最大値が前記光源配置部における前記拡散度合いの最大値よりも低いものとされる照明装置。
【請求項２】
前記光源非配置部は、前記拡散度合いが最大となる位置から前記光源側の端位置までの部分は前記拡散度合いがほぼ一定とされる請求項１に記載の照明装置。
【請求項３】
前記可変拡散部は、前記光拡散部材の一部とされており、
前記光拡散部材のうち、前記可変拡散部に対して前記光源側とは反対側に隣り合う部分が、前記可変拡散部の前記拡散度合いの最大値よりも前記拡散度合いが低くされるとともにその拡散度合いが前記光源との位置関係に拘わらず一定とされる一定拡散部とされている請求項１または請求項２に記載の照明装置。
【請求項４】
前記光拡散部材は、前記可変拡散部が、当該光拡散部材における前記光源側の端位置からの距離が当該光拡散部材の外寸の１／１０の寸法となる位置よりも前記光源側に配されるよう構成されている請求項３に記載の照明装置。
【請求項５】
少なくとも前記導光板を前記光出射面側から押さえてその保持を図る保持部材を備えており、
前記導光板のうち、前記光出射面とは反対側の反対板面には、光を前記光出射面から出射させるための複数の光反射部からなる光反射パターンが設けられており、
前記光反射パターンは、複数の前記光反射部のうち、最も前記光源の近くに配される前記光反射部が、前記保持部材による前記導光板の押さえ位置よりも前記光源から遠い配置となるよう構成されているのに対し、前記可変拡散部は、最も前記光源の近くに配される前記光反射部に対して重畳する形で配されている請求項１から請求項４のいずれか１項に記載の照明装置。
【請求項６】
前記可変拡散部は、前記拡散度合いが前記光源側の端位置に近づくのに従って連続的に漸次高くなるよう構成されている請求項１から請求項５のいずれか１項に記載の照明装置。
【請求項７】
前記光拡散部材は、透光性を有する基材と、前記基材中に分散配合される多数の光拡散粒子と、を少なくとも有してなるものとされており、
前記可変拡散部は、前記基材に含まれる前記光拡散粒子の分布密度が前記光源側の端位置に近づくのに従って高くなるよう構成されている請求項１から請求項６のいずれか１項に記載の照明装置。
【請求項８】
前記可変拡散部は、前記光拡散粒子の粒径が前記光源側の端位置に近づくのに従って大きくなるとともに、前記光拡散粒子の分布量が前記光源側の端位置に近づくのに従って多くなるよう構成されている請求項７記載の照明装置。
【請求項９】
請求項１から請求項８のいずれか１項に記載の照明装置と、前記照明装置からの光を利用して表示を行う表示パネルと、を備える表示装置。
【請求項１０】
請求項９に記載の表示装置と、テレビ信号を受信可能な受信部と、を備えるテレビ受信装置。
【発明の詳細な説明】
【技術分野】
【０００１】
本発明は、照明装置、表示装置、及びテレビ受信装置に関する。
【背景技術】
【０００２】
近年、テレビ受信装置をはじめとする画像表示装置の表示素子は、従来のブラウン管から液晶パネルやプラズマディスプレイパネルなどの薄型の表示パネルに移行しつつあり、画像表示装置の薄型化を可能としている。液晶表示装置は、これに用いる液晶パネルが自発光しないため、別途に照明装置としてバックライト装置を必要としており、バックライト装置はその機構によって直下型とエッジライト型とに大別されている。液晶表示装置の一層の薄型化を実現するには、エッジライト型のバックライト装置を用いるのが好ましく、その一例として下記特許文献１に記載されたものが知られている。
【０００３】
この特許文献１に記載されたエッジライト型のバックライト装置は、バインダー樹脂と樹脂粒子を含有し、透明基材シートの表側に積層された光拡散層と、透明基材シートの裏面で周辺端部の少なくとも一辺に形成された光遮蔽層と、光遮蔽層以外の全領域に、光遮蔽層と略同一膜厚で積層された背面層を有する光拡散シートを備えている。
【先行技術文献】
【特許文献】
【０００４】
【特許文献１】特開２００８−９６８８９号公報
【発明の概要】
【発明が解決しようとする課題】
【０００５】
上記した特許文献１に記載された光拡散シートに備えられる光遮蔽層は、光拡散シートにおいて光源側の端部に配されるとともに一定幅の帯状をなしていることから、液晶パネルの表示に際して、例えば階調値が最大となる白色画像を表示した場合には、光遮蔽層が暗線として視認されるおそれがあり、輝度ムラが生じ易くなっていた。
【０００６】
本発明は上記のような事情に基づいて完成されたものであって、輝度ムラを抑制することを目的とする。
【課題を解決するための手段】
【０００７】
本発明の照明装置は、光源と、外周端面に前記光源からの光が入射される光入射面を有するとともに一方の板面に光を出射する光出射面を有する導光板と、前記導光板に対して前記光出射面側に配されて前記光出射面からの出射光に拡散作用を付与する光拡散部材であって、少なくとも前記光源側の端側部分を、前記出射光を拡散させる拡散度合いが前記光源側の端位置に近づくのに従って高くなる可変拡散部としてなる光拡散部材と、を備える。
【０００８】
このようにすれば、光源からの光は、導光板の光入射面に入射されて導光板内を伝播された後に、光出射面から出射される。光出射面からの出射光には、導光板に対して光出射面側に配される光拡散部材によって拡散作用を付与される。ここで、光出射面からの出射光に関して、特に光出射面の面内における光源側の端側部分では、光源の配置などに起因して出射光量にムラが生じ易くなる場合がある。その点、上記したように光拡散部材のうち少なくとも光源側の端側部分を、出射光を拡散させる拡散度合いが光源側の端位置に近づくのに従って高くなる可変拡散部としているので、光源の配置などに起因して導光板の出射光量にムラが生じていても、そのムラに応じて拡散度合いが変化する可変拡散部によって導光板の出射光が良好に拡散され、もって当該照明装置の出射光に輝度ムラが生じ難いものとなる。また、仮に光拡散部材の拡散度合いを全域にわたって高くして輝度ムラの緩和を図るようにした場合に比べると、光の利用効率の低下が抑制され、それにより高い輝度を得ることができる。
【０００９】
本発明の実施態様として、次の構成が好ましい。
（１）前記可変拡散部は、前記光拡散部材の一部とされており、前記光拡散部材のうち、前記可変拡散部に対して前記光源側とは反対側に隣り合う部分が、前記可変拡散部の前記拡散度合いの最大値よりも前記拡散度合いが低くされるとともにその拡散度合いが前記光源との位置関係に拘わらず一定とされる一定拡散部とされている。このようにすれば、光拡散部材のうちの可変拡散部では、拡散度合いの最大値が一定拡散部の拡散度合いよりも高くされるとともにその拡散度合いが光源との位置関係に応じて変化するため、可変拡散部の出射光量が相対的に少なくなるとともにその出射光量が光源との位置関係に応じて変化する傾向にある。これに対し、光拡散部材のうちの一定拡散部では、拡散度合いが可変拡散部の拡散度合いの最大値よりも低くされるとともにその拡散度合いが光源との位置関係に拘わらず一定とされているから、一定拡散部の出射光量が相対的に多くなるとともにその出射光量が光源との位置関係に拘わらず一定となる。このような一定拡散部が可変拡散部に加えて光拡散部材に有されることで、光拡散部材の出射光に係る輝度が高く且つ安定したものとなり、輝度の向上及び輝度ムラの抑制を図る上でより好適とされる。
【００１０】
（２）前記光拡散部材は、前記可変拡散部が、当該光拡散部材における前記光源側の端位置からの距離が当該光拡散部材の外寸の１／１０の寸法となる位置よりも前記光源側に配されるよう構成されている。光拡散部材のうち、光源側の端位置からの距離が光拡散部材の外寸の１／１０の寸法となる位置よりも中央側の領域では、仮に光拡散部材の出射光量に変化が生じる部分が存在すると、それが輝度ムラとして視認され易くなる傾向にある。その点、可変拡散部が、光拡散部材における光源側の端位置からの距離が光拡散部材の外寸の１／１０の寸法となる位置よりも光源側に配されることで、上記した中央側の領域に可変拡散部が含まれない配置となるので、可変拡散部においてその拡散度合いの変化に伴って可変拡散部の出射光量に変化が生じていても、それが輝度ムラとして視認され難いものとなる。これにより、輝度ムラを抑制する上で一層好適とされる。
【００１１】
（３）前記光源は、複数が前記光入射面に沿って間隔を空けて並んで配されており、前記可変拡散部は、前記光源の並び方向について前記光源と重なり合う位置関係とされる光源配置部と、前記光源の並び方向について前記光源とは重なり合わない位置関係とされる光源非配置部と、に区分されるとともに、前記光源配置部における前記拡散度合いが、前記光源非配置部における前記拡散度合いよりも相対的に高いものとされる。導光板の光出射面から出射した光が可変拡散部に入射する入射光量は、可変拡散部のうち、光源の並び方向について光源と重なり合う位置関係とされる光源配置部の方が、光源の並び方向について光源とは重なり合わない位置関係とされる光源非配置部に比べると、相対的に多いものとされる。これに対し、光源配置部における拡散度合いが、光源非配置部における拡散度合いよりも相対的に高くされることで、光源配置部からの光の出射を抑制するとともに一部の光を光源非配置部側に供給することができる。これにより、光源配置部からの出射光量と、光源非配置部からの出射光量と、を平準化することができ、もって可変拡散部の出射光に係る輝度ムラがより生じ難いものとなる。特に、隣り合う光源の間の間隔が広い配置構成において有用とされる。
【００１２】
（４）前記光源配置部は、前記可変拡散部における前記光源側の端位置において前記拡散度合いが最大となるのに対し、前記光源非配置部は、前記可変拡散部における前記光源側の端位置よりも手前の位置にて前記拡散度合いが最大となり且つその最大値が前記光源配置部における前記拡散度合いの最大値よりも低いものとされる。光源配置部では、導光板の光出射面から出射した光の入射光量が、光源側の端位置に近づくほど多くなるものの、光源非配置部では、導光板の光出射面から出射した光の入射光量が、光源側の端位置に近づくほど少なくなる場合がある。これに対し、光源配置部は、可変拡散部における光源側の端位置において拡散度合いが最大となることで、光源配置部への入射光量が多くなる光源側の端位置側ほど光をより拡散させて光の出射を抑制することができる。その上で、光源非配置部は、可変拡散部における光源側の端位置よりも手前の位置にて拡散度合いが最大となり且つその最大値が光源配置部における拡散度合いの最大値よりも低いものとされることで、光源非配置部への入射光量が少なくなる光源側の端位置側での光の拡散を抑制して光の出射を促進することができる。これにより、光源配置部からの出射光量と、光源非配置部からの出射光量と、をより好適に平準化することができ、もって可変拡散部の出射光に係る輝度ムラが一層生じ難いものとなる。
【００１３】
（５）少なくとも前記導光板を前記光出射面側から押さえてその保持を図る保持部材を備えており、前記導光板のうち、前記光出射面とは反対側の反対板面には、光を前記光出射面から出射させるための複数の光反射部からなる光反射パターンが設けられており、前記光反射パターンは、複数の前記光反射部のうち、最も前記光源の近くに配される前記光反射部が、前記保持部材による前記導光板の押さえ位置よりも前記光源から遠い配置となるよう構成されているのに対し、前記可変拡散部は、最も前記光源の近くに配される前記光反射部に対して重畳する形で配されている。このようにすれば、導光板内を伝播する光は、反対板面に配された光反射パターンを構成する光反射部によって反射されることで、光出射面からの出射が促される。光反射パターンのうち最も光源の近くに配される光反射部が、少なくとも導光板を光出射面側から押さえてその保持を図る保持部材による導光板の押さえ位置よりも光源から遠い配置とされることで、光反射部により反射された光が保持部材によって遮られて出光が妨げられる事態が生じ難くなるので、光の利用効率が高いものとなる。光反射パターンをこのような配置構成にすると、最も光源の近くに配される光反射部よりも光源側では、光反射パターンによる光の反射がなされないため、暗部が生じることが懸念される。その点、光拡散部材における可変拡散部は、最も光源の近くに配される光反射部に対して重畳する形で配されており、その拡散度合いが光源側の端位置に近づくのに従って高くされているから、上記のような暗部が視認され難くすることができる。以上により、光の利用効率を向上させつつ輝度ムラの発生を好適に抑制することができる。
【００１４】
（６）前記可変拡散部は、前記拡散度合いが前記光源側の端位置に近づくのに従って連続的に漸次高くなるよう構成されている。このようにすれば、光源の配置などに起因して生じ得る導光板の出射光量のムラに対して、可変拡散部における拡散度合いがより適切に変化するものとされているので、導光板の出射光が良好に拡散され、もって当該照明装置の出射光に輝度ムラが一層生じ難いものとなる。
【００１５】
（７）前記光拡散部材は、透光性を有する基材と、前記基材中に分散配合される多数の光拡散粒子と、を少なくとも有してなるものとされており、前記可変拡散部は、前記基材に含まれる前記光拡散粒子の分布密度が前記光源側の端位置に近づくのに従って高くなるよう構成されている。光拡散部材においては、基材中に分散配合される光拡散粒子の分布密度が高くなるほど拡散度合いが高くなるのに対し、光拡散粒子の分布密度が低くなるほど拡散度合いが低くなる傾向にある。可変拡散部では、基材に含まれる光拡散粒子の分布密度を光源側の端位置に近づくのに従って高くすることで、その拡散度合いを光源側の端位置に近づくのに従って高くすることができる。
【００１６】
（８）前記可変拡散部は、前記光拡散粒子の粒径が前記光源側の端位置に近づくのに従って大きくなるとともに、前記光拡散粒子の分布量が前記光源側の端位置に近づくのに従って多くなるよう構成されている。光拡散部材においては、基材中に分散配合される光拡散粒子の粒径が大きくなるほど分布密度及び拡散度合いが高くなるとともに、光拡散粒子の分布量が多くなるほど分布密度及び拡散度合いが高くなる傾向にある。可変拡散部では、光拡散粒子の粒径を光源側の端位置に近づくのに従って大きくするとともに、光拡散粒子の分布量を光源側の端位置に近づくのに従って多くすることで、その分布密度及び拡散度合いを光源側の端位置に近づくのに従って高くすることができる。
【００１７】
本発明の表示装置は、上記照明装置と、前記照明装置からの光を利用して表示を行う表示パネルと、を備える。このような構成の表示装置によれば、照明装置の出射光に輝度ムラが生じ難いものとされているから、表示品位に優れた表示を実現することができる。
【００１８】
本発明のテレビ受信装置は、上記表示装置と、テレビ信号を受信可能な受信部と、を備える。このようなテレビ受信装置によれば、表示装置の出射光に輝度ムラが生じ難いものとされているから、表示品位に優れたテレビ画像の表示を実現することができる。
【発明の効果】
【００１９】
本発明によれば、輝度ムラを抑制することができる。
【図面の簡単な説明】
【００２０】
【図１】本発明の実施形態１に係るテレビ受信装置の概略構成を示す分解斜視図
【図２】液晶表示装置の概略構成を示す分解斜視図
【図３】液晶表示装置における短辺方向に沿った断面構成を示す断面図
【図４】液晶表示装置に備わるバックライト装置におけるシャーシと導光板とＬＥＤ基板との配置構成を示す平面図
【図５】光拡散シートの切欠斜視図
【図６】光拡散シートにおけるＹ１端からＹ２端に至るまでのヘイズ値の変化を示すグラフ
【図７】光拡散シートにおけるＸ１端からＸ２端に至るまでのヘイズ値の変化を示すグラフ
【図８】本発明の実施形態２に係るバックライト装置におけるシャーシと導光板とＬＥＤ基板との配置構成を示す平面図
【図９】光拡散シートにおけるＹ１端からＹ２端に至るまでのヘイズ値の変化を示すグラフ
【図１０】光拡散シートにおけるＸ１端からＸ２端に至るまでのヘイズ値の変化を示すグラフ
【図１１】本発明の実施形態３に係る光拡散シートにおけるＹ１端からＹ２端に至るまでのヘイズ値の変化を示すグラフ
【図１２】本発明の実施形態４に係る導光板（光反射パターン）とＬＥＤとの配置構成を示す底面図
【図１３】液晶表示装置における短辺方向に沿った断面構成を示す断面図
【図１４】本発明の実施形態５に係るバックライト装置におけるシャーシと導光板とＬＥＤ基板との配置構成を示す平面図
【図１５】光拡散シートにおけるＸ１端からＸ２端に至るまでのヘイズ値の変化を示すグラフ
【図１６】本発明の実施形態６に係る光拡散シートにおけるＹ１端からＹ２端に至るまでのヘイズ値の変化を示すグラフ
【図１７】本発明の実施形態７に係る光拡散シートにおけるＹ１端からＹ２端に至るまでのヘイズ値の変化を示すグラフ
【図１８】本発明の実施形態８に係る光拡散シートにおけるＹ１端からＹ２端に至るまでのヘイズ値の変化を示すグラフ
【図１９】本発明の実施形態９に係る光拡散シートにおけるＹ１端からＹ２端に至るまでのヘイズ値の変化を示すグラフ
【図２０】本発明の実施形態１０に係るバックライト装置におけるシャーシと導光板とＬＥＤ基板との配置構成を示す平面図
【図２１】光拡散シートにおけるＹ１端からＹ２端に至るまでのヘイズ値の変化を示すグラフ
【図２２】本発明の実施形態１１に係るバックライト装置におけるシャーシと導光板とＬＥＤ基板との配置構成を示す平面図
【図２３】光拡散シートにおけるＸ１端からＸ２端に至るまでのヘイズ値の変化を示すグラフ
【発明を実施するための形態】
【００２１】
＜実施形態１＞
本発明の実施形態１を図１から図７によって説明する。本実施形態では、液晶表示装置１０について例示する。なお、各図面の一部にはＸ軸、Ｙ軸及びＺ軸を示しており、各軸方向が各図面で示した方向となるように描かれている。また、図３に示す上側を表側とし、同図下側を裏側とする。
【００２２】
本実施形態に係るテレビ受信装置ＴＶは、図１に示すように、液晶表示装置１０と、当該液晶表示装置１０を挟むようにして収容する表裏両キャビネットＣａ，Ｃｂと、電源Ｐと、チューナーＴと、スタンドＳと、を備えて構成される。液晶表示装置（表示装置）１０は、全体として横長の方形（矩形状、長手状）をなし、縦置き状態で収容されている。この液晶表示装置１０は、図２に示すように、画像を表示可能な液晶パネル（表示パネル）１１と、液晶パネル１１に表示のための光を照射する外部光源であるバックライト装置（照明装置）１２と、を備え、これらが枠状のベゼル１３などにより一体的に保持された構成とされる。
【００２３】
液晶パネル１１は、図２に示すように、平面に視て横長の方形（矩形状、長手状）をなしており、透光性に優れた一対のガラス製の基板が所定のギャップを隔てた状態で貼り合わせられるとともに、両基板間に液晶が封入された構成とされる。一方の基板（アレイ基板）には、互いに直交するソース配線とゲート配線とに接続されたスイッチング素子（例えばＴＦＴ）と、そのスイッチング素子に接続された画素電極、さらには配向膜等が設けられ、他方の基板（ＣＦ基板）には、Ｒ（赤色），Ｇ（緑色），Ｂ（青色）等の各着色部が所定配列で配置されたカラーフィルタや対向電極、さらには配向膜等が設けられている。この液晶パネル１１は、画面中央側にあって画像が表示可能な表示領域と、画面外周端側にあって表示領域の周りを取り囲む枠状（額縁状）をなす非表示領域とに区分されている。なお、一対の基板の外面側には、表裏一対の偏光板がそれぞれ貼り付けられている。
【００２４】
バックライト装置１２は、図２に示すように、表側（光出射側、液晶パネル１１側）に向けて開口する光出射部１４ｃを有した略箱型をなすシャーシ１４と、シャーシ１４の光出射部１４ｃを覆うようにして配される光学部材（光学シート）１５と、を備える。さらに、シャーシ１４内には、光源であるＬＥＤ（Light Emitting Diode：発光ダイオード）１７と、複数のＬＥＤ１７が実装されたＬＥＤ基板（光源基板）１８と、ＬＥＤ１７からの光を導光して光学部材１５（液晶パネル１１）へと導く導光板１９と、導光板１９及び光学部材１５を表側から押さえてその保持を図ることが可能なフレーム（保持部材）１６と、が備えられる。そして、このバックライト装置１２は、その長辺側の両端部のうちの一方（図２及び図４に示す手前側、図３に示す左側）の端部に、ＬＥＤ基板１８が配されており、そのＬＥＤ基板１８に実装された各ＬＥＤ１７が液晶パネル１１における長辺側の一端部寄りに偏在していることになる。このように、本実施形態に係るバックライト装置１２は、ＬＥＤ１７の光が導光板１９に対して片側からのみ入光される片側入光タイプのエッジライト型（サイドライト型）とされている。以下では、バックライト装置１２の各構成部品について詳しく説明する。
【００２５】
シャーシ１４は、例えばアルミニウム板や電気亜鉛めっき綱板（ＳＥＣＣ）などの金属板からなり、図２及び図４に示すように、平面に視て液晶パネル１１と同様に横長の方形状をなすとともに、その長辺方向がＸ軸方向（水平方向）と一致し、短辺方向がＹ軸方向（鉛直方向）と一致している。シャーシ１４は、横長の方形状をなす底板１４ａと、底板１４ａにおける長辺側及び短辺側の各外端からそれぞれ一対ずつ立ち上がる側板１４ｂと、を有しており、このうち長辺側の一方（図２及び図４に示す手前側、図３に示す左側）の側板１４ｂに対してＬＥＤ基板１８が取り付けられている。また、各側板１４ｂには、フレーム１６及びベゼル１３がねじ止め可能とされる。
【００２６】
光学部材１５は、図２に示すように、液晶パネル１１及びシャーシ１４と同様に平面に視て横長の方形状をなしている。光学部材１５は、導光板１９の表側（光出射側）に載せられていて液晶パネル１１と導光板１９との間に介在して配されることで、導光板１９からの出射光を透過するとともにその透過光に所定の光学作用を付与しつつ液晶パネル１１に向けて出射させる。光学部材１５は、互いに積層される複数枚（本実施形態では３枚）のシート状の部材からなるものとされる。具体的には、本実施形態に係る光学部材１５には、導光板１９側から順に光拡散シート（光拡散部材）１５ａ、レンズシート（集光部材）１５ｂ、反射型偏光シート１５ｃの３枚が含まれている。このうち、光拡散シート１５ａは、導光板１９の光出射面１９ａの表側に直接載置される形で積層配置されていて、導光板１９の光出射面１９ａからの出射光に拡散作用を付与するものとされる。光拡散シート１５ａの詳しい構成については、後に改めて説明する。レンズシート１５ｂは、一方向に沿って延在する単位レンズを、その延在方向と直交する方向に沿って多数並べて配置した構成とされており、光拡散シート１５ａを経由した光の進行方向を調節し、集光作用を付与するものとされる。反射型偏光シート１５ｃは、例えば屈折率の互いに異なる層を交互に積層した多層構造を有しており、導光板１９からの出射光のうちｐ波を透過させ、ｓ波を導光板１９側へ反射させるものとされる。
【００２７】
フレーム１６は、図２に示すように、導光板１９及び光学部材１５の外周端部に沿って延在する枠状（額縁状）に形成されており、導光板１９及び光学部材１５の外周端部をほぼ全周にわたって表側から一括して押さえて保持することが可能とされる。このフレーム１６は、合成樹脂製とされるとともに、表面が例えば黒色を呈する形態とされることで、遮光性を有するものとされる。フレーム１６における一対の長辺部分のうち、ＬＥＤ基板１８（ＬＥＤ１７）と対向する一方の長辺部分における内面には、図３に示すように、光を反射させる第１反射シート（フレーム側反射シート）２０が取り付けられている。第１反射シート２０は、フレーム１６の長辺部分においてほぼ全長にわたって延在する大きさを有しており、導光板１９におけるＬＥＤ１７側の端部とＬＥＤ基板１８とを一括して表側から覆うものとされる。また、フレーム１６は、液晶パネル１１における外周縁部を裏側から受けることができる。
【００２８】
ＬＥＤ１７は、図３及び図４に示すように、ＬＥＤ基板１８に固着される基板部上にＬＥＤチップを樹脂材により封止した構成とされる。基板部に実装されるＬＥＤチップは、主発光波長が１種類とされ、具体的には、青色を単色発光するものが用いられている。その一方、ＬＥＤチップを封止する樹脂材には、ＬＥＤチップから発せられた青色の光により励起されて所定の色を発光する蛍光体が分散配合されており、全体として概ね白色光を発するものとされる。なお、蛍光体としては、例えば黄色光を発光する黄色蛍光体、緑色光を発光する緑色蛍光体、及び赤色光を発光する赤色蛍光体の中から適宜組み合わせて用いたり、またはいずれか１つを単独で用いることができる。このＬＥＤ１７は、ＬＥＤ基板１８に対する実装面とは反対側の面が発光面１７ａとなる、いわゆる頂面発光型とされている。
【００２９】
ＬＥＤ基板１８は、図２から図４に示すように、シャーシ１４の長辺方向（Ｘ軸方向、導光板１９における光入射面１９ｂの長手方向）に沿って延在する細長い板状をなすとともに、その板面をＸ軸方向及びＺ軸方向に並行した姿勢、つまり液晶パネル１１及び導光板１９（光学部材１５）の板面と直交させた姿勢でシャーシ１４内に収容されている。すなわち、このＬＥＤ基板１８は、板面における長辺方向（長さ方向）がＸ軸方向と、短辺方向（幅方向）がＺ軸方向と、それぞれ一致し、さらには板面と直交する板厚方向がＹ軸方向と一致した姿勢とされる。ＬＥＤ基板１８は、導光板１９とシャーシ１４における一方の長辺側の側板１４ｂとの間に介在するよう配され、シャーシ１４に対してはＺ軸方向に沿って表側から収容されるようになっている。ＬＥＤ基板１８は、ＬＥＤ１７が実装される実装面１８ａとは反対側の板面がシャーシ１４における長辺側の側板１４ｂの内面に接する形でそれぞれ取り付けられている。従って、ＬＥＤ基板１８に実装された各ＬＥＤ１７の発光面１７ａが、後述する導光板１９の長辺側の端面（光入射面１９ｂ）と対向状をなすとともに、各ＬＥＤ１７における光軸、つまり発光強度が最も高い光の進行方向がＹ軸方向（液晶パネル１１の板面に並行する方向、ＬＥＤ１７と導光板１９との並び方向、光入射面１９ｂの法線方向）とほぼ一致する。
【００３０】
ＬＥＤ基板１８は、図３及び図４に示すように、その内側、つまり導光板１９側を向いた板面（導光板１９との対向面）が、上記した構成のＬＥＤ１７が表面実装された実装面１８ａとされる。ＬＥＤ１７は、ＬＥＤ基板１８の実装面１８ａにおいて、その長さ方向（Ｘ軸方向）に沿って複数、具体的には例えば８個が所定の間隔を空けつつ一列に（直線的に）並んで配置されている。つまり、ＬＥＤ１７は、バックライト装置１２における一方の長辺側の端部において長辺方向に沿って複数が間欠的に並んで配置されていると言える。従って、ＬＥＤ１７の並び方向は、ＬＥＤ基板１８の長さ方向（Ｘ軸方向）と一致していることになる。Ｘ軸方向について隣り合うＬＥＤ１７間の間隔、つまりＬＥＤ１７の配列間隔（配列ピッチ）は、ほぼ等しいものとされており、別言するとＬＥＤ１７は等ピッチ配列されている、と言える。また、ＬＥＤ基板１８の実装面１８ａには、Ｘ軸方向に沿って延在するとともにＬＥＤ１７群を横切って隣り合うＬＥＤ１７同士を直列に接続する、金属膜（銅箔など）からなる配線パターン（図示せず）が形成されており、この配線パターンの端部に形成された端子部に対して図示しないＬＥＤ駆動回路基板が同じく図示しない配線部材などを介して電気的に接続されることで、各ＬＥＤ１７に駆動電力を供給することが可能とされる。このＬＥＤ基板１８は、板面の片面のみが実装面１８ａとされる片面実装タイプとされている。このＬＥＤ基板１８の基材は、例えばアルミニウムなどの金属製とされ、その表面に絶縁層を介して既述した配線パターン（図示せず）が形成されている。なお、ＬＥＤ基板１８の基材に用いる材料としては、合成樹脂やセラミックなどの絶縁材料を用いることも可能である。
【００３１】
導光板１９は、屈折率が空気よりも十分に高く且つほぼ透明な（透光性に優れた）合成樹脂材料（例えばＰＭＭＡなどのアクリル樹脂やポリカーボネートなど）からなる。導光板１９は、図２に示すように、液晶パネル１１及びシャーシ１４と同様に平面に視て横長の方形状をなすとともに光学部材１５よりも厚みが大きな板状をなしており、その板面における長辺方向がＸ軸方向と、短辺方向がＹ軸方向とそれぞれ一致し、且つ板面と直交する板厚方向がＺ軸方向と一致している。導光板１９は、図３に示すように、シャーシ１４内において液晶パネル１１及び光学部材１５の直下位置に配されており、その外周端面のうちの一方（図２及び図４に示す手前側、図３に示す左側）の長辺側の端面がシャーシ１４における長辺側の一端部に配されたＬＥＤ基板１８の各ＬＥＤ１７とそれぞれ対向状をなしている。従って、ＬＥＤ１７（ＬＥＤ基板１８）と導光板１９との並び方向がＹ軸方向と一致するのに対して、光学部材１５（液晶パネル１１）と導光板１９との並び方向がＺ軸方向と一致しており、両並び方向が互いに直交するものとされる。そして、導光板１９は、ＬＥＤ１７からＹ軸方向に向けて発せられた光を導入するとともに、その光を内部で伝播させつつ光学部材１５側（表側）へ向くよう立ち上げて出射させる機能を有する。
【００３２】
導光板１９は、図２及び図４に示すように、シャーシ１４の底板１４ａ及び光学部材１５の各板面に沿って延在する略平板状をなしており、その板面がＸ軸方向及びＹ軸方向に並行するものとされる。導光板１９の表裏一対の板面のうち、表側を向いた板面（光学部材１５との対向面）が内部の光を光学部材１５及び液晶パネル１１に向けて出射させる光出射面（出光面）１９ａとなっている。導光板１９における板面に対して隣り合う外周端面のうち、Ｘ軸方向（ＬＥＤ１７の並び方向、ＬＥＤ基板１８の長辺方向）に沿って長手状をなす一対の長辺側の端面のうち、一方（図２及び図４に示す手前側）の端面は、ＬＥＤ１７（ＬＥＤ基板１８）と所定の空間を空けて対向状をなしており、これがＬＥＤ１７から発せられた光が入射される光入射面（入光面）１９ｂとなっている。この光入射面１９ｂは、ＬＥＤ１７と対向状をなしていることから、「ＬＥＤ対向端面（光源対向端面）」を構成している、とも言える。これに対して、導光板１９における板面に対して隣り合う外周端面のうち、上記した光入射面１９ｂとは反対側の入光反対端面１９ｄと、光入射面１９ｂ及び入光反対端面１９ｄに対して隣り合う短辺側の一対の端面と、がそれぞれＬＥＤ１７とは対向しないＬＥＤ非対向端面（光源非対向端面）とされる。光入射面１９ｂと対向する各ＬＥＤ１７との間の距離は、ほぼ同一とされる。また、光入射面１９ｂは、Ｘ軸方向（ＬＥＤ１７の並び方向）及びＺ軸方向、つまりＬＥＤ基板１８の板面に沿って並行する面とされ、ＬＥＤ１７の光軸及び光出射面１９ａに対して略直交する面とされる。また、ＬＥＤ１７と光入射面１９ｂとの並び方向は、Ｙ軸方向と一致しており、光出射面１９ａに並行している。
【００３３】
導光板１９における裏側、つまり光出射面１９ａとは反対側の反対板面（シャーシ１４の底板１４ａとの対向面）１９ｃには、図３に示すように、その反対板面１９ｃから裏側外部に出射した光を反射して表側へ立ち上げることが可能な第２反射シート（シャーシ側反射シート）２１がそのほぼ全域を覆う形で設けられている。言い換えると、第２反射シート２１は、シャーシ１４の底板１４ａと導光板１９との間に挟まれた形で配されている。この第２反射シート２１のうち、導光板１９における光入射面１９ｂ側の端部は、光入射面１９ｂよりも外側、つまりＬＥＤ１７側に向けて延出されており、この延出部分がフレーム１６に取り付けられた第１反射シート２０と対向状をなしている。これら第２反射シート２１の延出部分と第１反射シート２０との間には、ＬＥＤ１７と光入射面１９ｂとの間に有される空間が挟み込まれているので、ＬＥＤ１７からの光を両反射シート２０，２１の対向部分間で繰り返し反射して光入射面１９ｂへと効率的に入射させることができる。また、導光板１９における反対板面１９ｃには、導光板１９内の光を光出射面１９ａに向けて反射させることで光出射面１９ａからの出射を促す光反射パターン（本実施形態では図示を省略する）が形成されている。光反射パターンは、反対板面１９ｃの面内において所定の面内分布を持つようパターニングされた光反射部からなり、それにより光出射面１９ａからの出射光が面内において均一な分布となるよう制御されている。
【００３４】
ここで、光拡散シート１５ａについて詳しく説明する。光拡散シート１５ａは、図５に示すように、透光性を有するシート基材２２と、シート基材２２における表側、つまりレンズシート１５ｂ側（液晶パネル１１側、導光板１９側とは反対側）の板面に形成された光拡散層２３と、から構成される。シート基材２２は、ほぼ透明で優れた透光性を有するシート状をなしており、例えばＰＥＴなどの熱可塑性樹脂材料からなる。光拡散層２３は、透光性を有する基材２３ａと、基材２３ａ中に多数分散配合される光拡散粒子（球状フィラー）２３ｂと、から構成されている。このうち、基材２３ａは、例えばアクリル系樹脂、ポリウレタン、ポリエステル、シリコーン樹脂、エポキシ樹脂、紫外線硬化型樹脂などのほぼ透明で優れた透光性を有する合成樹脂材料を主原料としており、その屈折率が例えば１．３〜１．６程度とされる。光拡散粒子２３ｂは、例えばシリカ、水酸化アルミニウム、酸化亜鉛などの無機材料およびアクリル系樹脂、ポリウレタン、ポリスチレンなどの有機材料のようなほぼ透明で優れた透光性を有する合成樹脂材料からなり、その屈折率は例えば１．３〜１．６程度とされる。光拡散粒子２３ｂは、その断面形状が略真円形状となる球状に形成されており、それにより光拡散粒子２３ｂに当たった光を等方的に拡散させることが可能とされる。この光拡散シート１５ａでは、光を拡散させる程度である拡散度合いの面内分布が、光拡散粒子２３ｂの分布密度（光拡散層２３（光拡散シート１５ａ）における単位体積当たりの光拡散粒子２３ｂの体積比率）に依存するものとされており、光拡散粒子２３ｂの分布密度が高ければ拡散度合いも高くなるのに対し、光拡散粒子２３ｂの分布密度が低ければ拡散度合いも低くなる傾向にある。
【００３５】
そして、本実施形態に係る光拡散シート１５ａは、図３に示すように、その一部、具体的にはＬＥＤ１７側の端側部分が、拡散度合いがＬＥＤ１７との位置関係に応じて変化する可変拡散部２４とされる。さらには、光拡散シート１５ａは、可変拡散部２４を除いた大部分が、拡散度合いがＬＥＤ１７との位置関係に拘わらずほぼ一定とされる一定拡散部２５とされる。以下では、光拡散シート１５ａにおける可変拡散部２４及び一定拡散部２５の拡散度合いの詳細に関して、図６及び図７を用いて説明する。図６は、光拡散シート１５ａの拡散度合いを表すヘイズ値（曇度、濁度）を、Ｙ軸方向に沿って光拡散シート１５ａにおけるＹ１端からＹ２端に至るまでの分布を表すグラフである。このヘイズ値の単位は、「％」である。ヘイズ値は、全光線透過光に対する拡散透過光の割合のことであり、ヘイズ値が高いほど拡散透過光の割合が高くなるとともに拡散度合いが高くなるのに対し、ヘイズ値が低いほど拡散透過光の割合が低くなるとともに拡散度合いが低くなる、と言える。図７は、光拡散シート１５ａのヘイズ値を、Ｘ軸方向に沿って光拡散シート１５ａにおけるＸ１端からＸ２端に至るまでの分布を表すグラフである。なお、図６の横軸に記載されたＹ１端及びＹ２端は、図３及び図４中に記載された符号により示される位置と一致しており、具体的には、Ｙ１端がＹ軸方向について光拡散シート１５ａにおけるＬＥＤ１７側の端位置（光入射面１９ｂ側の端位置）を、Ｙ２端がＹ軸方向について光拡散シート１５ａにおけるＬＥＤ１７側とは反対側の端位置（入光反対端面１９ｄ側の端位置）を、それぞれ表している。また、図３，図４及び図６中には、可変拡散部２４及び一定拡散部２５の形成範囲（占有範囲）を表す矢線をそれぞれ記載している。図７の横軸に記載されたＸ１端及びＸ２端は、図４中に記載された符号により示される位置と一致しており、具体的には、Ｘ１端がＸ軸方向について光拡散シート１５ａにおける一方（図４の左側）の端位置を、Ｘ２端がＸ軸方向について光拡散シート１５ａにおける他方（図４の右側）の端位置を、それぞれ表している。
【００３６】
可変拡散部２４は、図３及び図６に示すように、Ｙ軸方向について光拡散シート１５ａにおけるＬＥＤ１７側の端位置（図３及び図４に示すＹ１端）から所定範囲にわたる部分であり、そのヘイズ値（拡散度合い）がＹ軸方向（ＬＥＤ１７と導光板１９との並び方向、光入射面１９ｂの法線方向）についてＬＥＤ１７側の端位置に近づくのに従って高くなるものとされる。より詳細には、可変拡散部２４は、そのヘイズ値がＹ軸方向についてＬＥＤ１７側の端位置に近づくのに従って連続的に漸次高くなり、逆にＹ軸方向についてＬＥＤ１７側の端位置から遠ざかるのに従って連続的に漸次低くなるよう構成されている。可変拡散部２４におけるヘイズ値の変化を表すグラフは、ＬＥＤ１７側の端位置に近づくに連れてヘイズ値が緩やかに上昇する、円弧状のカーブを有するものとされる。可変拡散部２４におけるヘイズ値の最小値は、例えば９４．８％程度であるのに対し、最大値は、例えば９９．３％程度であり、その差は４．５％程度とされる。このように可変拡散部２４のヘイズ値を変化させるには、光拡散層２３の基材２３ａに含まれる光拡散粒子２３ｂの分布密度、具体的には光拡散粒子２３ｂの粒径及び分布量（分布数量）を共に変化させるようにしている。具体的には、可変拡散部２４では、Ｙ軸方向についてＬＥＤ１７側の端位置に近づくのに従って光拡散粒子２３ｂの粒径が大きくなるとともに光拡散粒子２３ｂの分布量が多くなり、逆にＹ軸方向についてＬＥＤ１７側の端位置から遠ざかるのに従って光拡散粒子２３ｂの粒径が小さくなるとともに光拡散粒子２３ｂの分布量が少なくなるものとされる。可変拡散部２４におけるＹ軸方向についての寸法、つまり光拡散シート１５ａにおけるＬＥＤ１７側の端位置から可変拡散部２４と一定拡散部２５との境界位置（拡散度合いの変化開始位置）Ｙ３までの距離が、光拡散シート１５ａにおける短辺寸法、つまりＹ軸方向（鉛直方向）についての外寸Ｌｖの１／１０よりも小さくなっている。従って、光拡散シート１５ａは、可変拡散部２４が、光拡散シート１５ａにおけるＬＥＤ１７側の端位置からの距離が光拡散シート１５ａのＹ軸方向についての外寸Ｌｖの１／１０の寸法（Ｌｖ／１０）となる位置Ｙ４よりもＬＥＤ１７側（Ｙ１端側）に配されるよう構成されている、と言える。また、可変拡散部２４におけるヘイズ値の変化率は、可変拡散部２４におけるヘイズ値の最大値と最小値との差を、可変拡散部２４におけるＹ軸方向についての寸法（Ｌｖ／１０よりも小さい寸法）によって除することで得られるものとされる。
【００３７】
一定拡散部２５は、図３及び図６に示すように、光拡散シート１５ａのうち可変拡散部２４に対してＬＥＤ１７側とは反対側に隣り合う部分、より詳しくはＹ軸方向について可変拡散部２４におけるＬＥＤ１７側とは反対側の端位置（拡散度合いの変化開始位置）Ｙ３から光拡散シート１５ａにおけるＬＥＤ１７側とは反対側の端位置（図３及び図４に示すＹ２端）に至る範囲の部分からなる。一定拡散部２５は、Ｙ軸方向について可変拡散部２４におけるＬＥＤ１７側とは反対側の端位置Ｙ３から光拡散シート１５ａにおけるＬＥＤ１７側とは反対側の端位置に至るまでの間、そのヘイズ値（拡散度合い）がＬＥＤ１７からの距離とは無関係にほぼ一定で且つ可変拡散部２４におけるヘイズ値の最大値よりも低くて同ヘイズ値の最小値とほぼ等しくされている。この一定拡散部２５では、光拡散層２３の基材２３ａに含まれる光拡散粒子２３ｂの分布密度（光拡散粒子２３ｂの粒径及び分布量）が、Ｙ軸方向についての位置に拘わらずほぼ一定になるよう構成されている。一定拡散部２５におけるＹ軸方向についての寸法、つまり光拡散シート１５ａにおける可変拡散部２４と一定拡散部２５との境界位置Ｙ３から光拡散シート１５ａにおけるＬＥＤ１７側とは反対側の端位置までの距離が、光拡散シート１５ａにおける短辺寸法、つまりＹ軸方向についての外寸Ｌｖの９／１０よりも大きくなっている。すなわち、一定拡散部２５は、光拡散シート１５ａにおける短辺方向についてＬＥＤ１７側の端側部分を除いた大部分によって構成されている、と言える。
【００３８】
可変拡散部２４及び一定拡散部２５は、図７に示すように、そのヘイズ値がＸ軸方向についての位置に拘わらずほぼ一定とされている。なお、図７では、光拡散シート１５ａのＹ１端におけるヘイズ値（可変拡散部２４のヘイズ値の最大値）を実線で、光拡散シート１５ａのＹ２端におけるヘイズ値（一定拡散部２５のヘイズ値及び可変拡散部２４のヘイズ値の最小値）を二点鎖線で、それぞれ表している。これら可変拡散部２４及び一定拡散部２５では、光拡散層２３の基材２３ａに含まれる光拡散粒子２３ｂの分布密度（光拡散粒子２３ｂの粒径及び分布量）が、Ｘ軸方向についての位置に拘わらずほぼ一定なるよう構成されている。
【００３９】
上記のような光拡散粒子２３ｂの分布密度を有する光拡散シート１５ａを製造するには、例えば製造過程において光拡散粒子２３ｂを基材２３ａ中に散布するに際して、一定拡散部２５には、一定の粒径の光拡散粒子２３ｂを一定の単位時間当たりの散布量でもって散布するのに対し、可変拡散部２４には、ＬＥＤ１７側の端位置に近づくに連れて散布する光拡散粒子２３ｂの粒径を大きくするとともに光拡散粒子２３ｂの散布量を多くするようにしている。具体的に可変拡散部２４に散布する光拡散粒子２３ｂの粒径をＹ軸方向の位置に応じて異なるよう制御するには、例えば光拡散粒子２３ｂを篩いにかけるようにし、その篩いにおける通過許容粒径を、Ｙ軸方向についてＬＥＤ１７側の端位置に近づくほど大きくなるように設定すればよい。また、具体的に可変拡散部２４に散布する光拡散粒子２３ｂの分布量をＹ軸方向の位置に応じて異なるよう制御するには、例えば上記した篩いに対する光拡散粒子２３ｂの供給量を、Ｙ軸方向についてＬＥＤ１７側の端位置に近づくほど多くなるように設定すればよい。
【００４０】
本実施形態は以上のような構造であり、続いてその作用を説明する。上記した構成の液晶表示装置１０の電源をＯＮすると、図示しないコントロール基板のパネル制御回路により液晶パネル１１の駆動が制御されるとともに、図示しないＬＥＤ駆動回路基板のＬＥＤ駆動回路からの駆動電力がＬＥＤ基板１８の各ＬＥＤ１７に供給されることでその駆動が制御される。各ＬＥＤ１７からの光は、導光板１９により導光されることで、光学部材１５を介して液晶パネル１１に照射され、もって液晶パネル１１に所定の画像が表示される。以下、バックライト装置１２に係る作用について詳しく説明する。
【００４１】
各ＬＥＤ１７を点灯させると、各ＬＥＤ１７から出射した光は、図３に示すように、導光板１９における光入射面１９ｂに入射する。ここで、ＬＥＤ１７と光入射面１９ｂとの間には、所定の空間が保有されているものの、その空間が表側の第１反射シート２０と裏側の第２反射シート２１の延出部分との間に挟み込まれているから、ＬＥＤ１７からの光は両反射シート２０，２１の対向部分により繰り返し反射されることで、効率的に光入射面１９ｂに入射される。光入射面１９ｂに入射した光は、導光板１９における外部の空気層との界面にて全反射されたり、第２反射シート２１により反射されるなどして導光板１９内を伝播されつつ、光反射パターンの光反射部にて散乱反射されることで、光出射面１９ａに対する入射角が臨界角を超えない光となって光出射面１９ａからの出射が促されるようになっている。導光板１９の光出射面１９ａを出射した光は、光学部材１５を構成する光拡散シート１５ａ、レンズシート１５ｂ、及び反射型偏光シート１５ｃを順次に透過する過程でそれぞれ光学作用を付与された上で液晶パネル１１に対して照射される。以下では、光拡散シート１５ａに関する作用について詳しく説明する。
【００４２】
導光板１９の光出射面１９ａを出射した出射光が光拡散シート１５ａに入射されると、その光が光拡散シート１５ａに含まれる光拡散粒子２３ｂにあたることで拡散作用が付与されるようになっている（図５を参照）。ここで、光出射面１９ａからの出射光に関して、特に光出射面１９ａの面内におけるＬＥＤ１７側の端側部分では、図４に示すように、Ｘ軸方向に沿って複数が間欠的に並んで配されるＬＥＤ１７の配置などに起因して出射光量にムラが生じ易くなる場合がある。具体的には、光出射面１９ａのうち、Ｘ軸方向についてＬＥＤ１７と重なり合う部分（ＬＥＤ１７の配光範囲となる部分）と、Ｘ軸方向についてＬＥＤ１７とは重なり合わない部分（ＬＥＤ１７の配光範囲外となる部分）と、を比較すると、前者の出射光量が相対的に多くなるのに対し、後者の出射光量が相対的に少なくなる傾向にあり、それに起因して後者においては暗部が視認され易いものとなっていた。この導光板１９の光出射面１９ａからの出射光量に係るムラは、Ｙ軸方向についてＬＥＤ１７（光入射面１９ｂ）から遠ざかるほど目立ち難くなるのに対し、Ｙ軸方向についてＬＥＤ１７（光入射面１９ｂ）に近づくほど目立ち易くなる傾向にある。
【００４３】
その点、図６に示すように、光拡散シート１５ａのうちＬＥＤ１７側の端側部分を、ヘイズ値（出射光を拡散させる拡散度合い）がＬＥＤ１７側の端位置に近づくのに従って高くなる可変拡散部２４としているので、上記したＬＥＤ１７の配置などに起因して導光板１９の出射光量にムラが生じていても、そのムラに応じてヘイズ値が変化する可変拡散部２４によって導光板１９の出射光が良好に拡散されるようになっている。詳しくは、可変拡散部２４は、Ｙ軸方向について導光板１９の出射光量に生じ得るムラの度合いが強くなるほど（ＬＥＤ１７側の端位置に近づくほど）ヘイズ値が高くなるのに対し、Ｙ軸方向について導光板１９の出射光量に生じ得るムラの度合いが弱まるほど（ＬＥＤ１７側の端位置から遠ざかるほど）ヘイズ値が低くなっているので、可変拡散部２４に入射する光量のムラが強いほどその光が高い拡散度合いでもって拡散されるのに対し、可変拡散部２４に入射する光量のムラが弱いほどその光が低い拡散度合いでもって拡散される。つまり、可変拡散部２４では、導光板１９の出射光量のムラの強弱にヘイズ値の高低が従う形で変化するものとされているので、可変拡散部２４を透過して出射する出射光量がＹ軸方向について良好に均一化されるようになっている。しかも、可変拡散部２４におけるヘイズ値は、Ｙ軸方向について連続的に漸次変化するものとされていて、その変化が導光板１９の出射光量のムラの変化により好適に適合しており、それにより可変拡散部２４の出射光量がＹ軸方向について一層良好に均一化されるようになっている。
【００４４】
さらには、光拡散シート１５ａは、図６に示すように、可変拡散部２４に加えて、ヘイズ値がＬＥＤ１７とのＹ軸方向についての位置関係に拘わらず一定とされる一定拡散部２５を有している。光拡散シート１５ａのうちの可変拡散部２４では、そのヘイズ値の最大値が一定拡散部２５の拡散度合いよりも高くされるとともにそのヘイズ値がＬＥＤ１７とのＹ軸方向についての位置関係に応じて変化するため、可変拡散部２４の出射光量が一定拡散部２５の出射光量に比べて相対的に少なくなるとともにその出射光量がＬＥＤ１７とのＹ軸方向についての位置関係に応じて変化する傾向にある。これに対し、光拡散シート１５ａのうちの一定拡散部２５では、そのヘイズ値が可変拡散部２４のヘイズ値の最大値よりも低くて同ヘイズ値の最小値と同等とされるとともにそのヘイズ値がＬＥＤ１７とのＹ軸方向についての位置関係に拘わらず一定とされているから、一定拡散部２５の出射光量が可変拡散部２４の出射光量に比べて相対的に多くなるとともにその出射光量がＬＥＤ１７との位置関係に拘わらず一定となる。このような一定拡散部２５が可変拡散部２４に加えて光拡散シート１５ａに有されることで、光拡散シート１５ａの出射光に係る輝度が高く且つ安定したものとなり、輝度の向上及び輝度ムラの抑制を図る上でより好適とされる。
【００４５】
その上、この光拡散シート１５ａでは、図６に示すように、可変拡散部２４におけるＹ軸方向についての寸法が、光拡散シート１５ａにおけるＹ軸方向についての外寸Ｌｖの１／１０よりも小さくされるとともに、一定拡散部２５におけるＹ軸方向についての寸法が、光拡散シート１５ａにおけるＹ軸方向についての外寸Ｌｖの９／１０よりも大きくされている。このことは、光拡散シート１５ａのうち、ＬＥＤ１７側の端位置（Ｙ１端）からの距離が、光拡散シート１５ａにおけるＹ軸方向についての外寸Ｌｖの１／１０の寸法となる位置Ｙ４よりもＬＥＤ１７側とは反対側の大部分の領域（中央側の領域と、ＬＥＤ１７側とは反対側の端側の領域と、を含む）が全て一定拡散部２５であり、そこに可変拡散部２４が含まれないことを意味している。この光拡散シート１５ａのうち、ＬＥＤ１７側の端位置からの距離が、光拡散シート１５ａにおけるＹ軸方向についての外寸Ｌｖの１／１０の寸法となる位置Ｙ４よりもＬＥＤ１７側とは反対側の大部分の領域では、出射光量にムラが生じていると、それが輝度ムラとして視認され易くなる傾向にある。従って、可変拡散部２４においてそのヘイズ値の変化に伴って可変拡散部２４の出射光量に変化が生じていても、それが輝度ムラとして視認され難いものとなる。これにより、輝度ムラを抑制する上で一層好適とされる。
【００４６】
以上のように光拡散シート１５ａの出射光には、その面内においてムラが生じ難いものとされているので、図３に示すように、レンズシート１５ｂ及び反射型偏光シート１５ｃを介して出射されるバックライト装置１２の出射光にも輝度ムラが生じ難いものとなる。これにより、バックライト装置１２の出射光を利用して液晶パネル１１に表示される画像（テレビ画像）に係る表示品位も優れたものとなる。また、仮に光拡散シートのヘイズ値を全域にわたって可変拡散部２４のヘイズ値の最大値と等しくなるよう高く設定して輝度ムラの緩和を図るようにした場合に比べると、光の利用効率の低下が抑制され、それにより高い輝度を得ることができる。
【００４７】
以上説明したように本実施形態のバックライト装置（照明装置）１２は、ＬＥＤ（光源）１７と、外周端面にＬＥＤ１７からの光が入射される光入射面１９ｂを有するとともに一方の板面に光を出射する光出射面１９ａを有する導光板１９と、導光板１９に対して光出射面１９ａ側に配されて光出射面１９ａからの出射光に拡散作用を付与する光拡散シート（光拡散部材）１５ａであって、少なくともＬＥＤ１７側の端側部分を、出射光を拡散させる拡散度合いがＬＥＤ１７側の端位置に近づくのに従って高くなる可変拡散部２４としてなる光拡散シート１５ａと、を備える。
【００４８】
このようにすれば、ＬＥＤ１７からの光は、導光板１９の光入射面１９ｂに入射されて導光板１９内を伝播された後に、光出射面１９ａから出射される。光出射面１９ａからの出射光には、導光板１９に対して光出射面１９ａ側に配される光拡散シート１５ａによって拡散作用を付与される。ここで、光出射面１９ａからの出射光に関して、特に光出射面１９ａの面内におけるＬＥＤ１７側の端側部分では、ＬＥＤ１７の配置などに起因して出射光量にムラが生じ易くなる場合がある。その点、上記したように光拡散シート１５ａのうち少なくともＬＥＤ１７側の端側部分を、出射光を拡散させる拡散度合いがＬＥＤ１７側の端位置に近づくのに従って高くなる可変拡散部２４としているので、ＬＥＤ１７の配置などに起因して導光板１９の出射光量にムラが生じていても、そのムラに応じて拡散度合いが変化する可変拡散部２４によって導光板１９の出射光が良好に拡散され、もって当該バックライト装置１２の出射光に輝度ムラが生じ難いものとなる。また、仮に光拡散シートの拡散度合いを全域にわたって高くして輝度ムラの緩和を図るようにした場合に比べると、光の利用効率の低下が抑制され、それにより高い輝度を得ることができる。
【００４９】
また、可変拡散部２４は、光拡散シート１５ａの一部とされており、光拡散シート１５ａのうち、可変拡散部２４に対してＬＥＤ１７側とは反対側に隣り合う部分が、可変拡散部２４の拡散度合いの最大値よりも拡散度合いが低くされるとともにその拡散度合いがＬＥＤ１７との位置関係に拘わらず一定とされる一定拡散部２５とされている。このようにすれば、光拡散シート１５ａのうちの可変拡散部２４では、拡散度合いの最大値が一定拡散部２５の拡散度合いよりも高くされるとともにその拡散度合いがＬＥＤ１７との位置関係に応じて変化するため、可変拡散部２４の出射光量が相対的に少なくなるとともにその出射光量がＬＥＤ１７との位置関係に応じて変化する傾向にある。これに対し、光拡散シート１５ａのうちの一定拡散部２５では、拡散度合いが可変拡散部２４の拡散度合いの最大値よりも低くされるとともにその拡散度合いがＬＥＤ１７との位置関係に拘わらず一定とされているから、一定拡散部２５の出射光量が相対的に多くなるとともにその出射光量がＬＥＤ１７との位置関係に拘わらず一定となる。このような一定拡散部２５が可変拡散部２４に加えて光拡散シート１５ａに有されることで、光拡散シート１５ａの出射光に係る輝度が高く且つ安定したものとなり、輝度の向上及び輝度ムラの抑制を図る上でより好適とされる。
【００５０】
また、光拡散シート１５ａは、可変拡散部２４が、当該光拡散シート１５ａにおけるＬＥＤ１７側の端位置からの距離が当該光拡散シート１５ａの外寸Ｌｖの１／１０の寸法となる位置よりもＬＥＤ１７側に配されるよう構成されている。光拡散シート１５ａのうち、ＬＥＤ１７側の端位置からの距離が光拡散シート１５ａの外寸Ｌｖの１／１０の寸法となる位置よりも中央側の領域では、仮に光拡散シートの出射光量に変化が生じる部分が存在すると、それが輝度ムラとして視認され易くなる傾向にある。その点、可変拡散部２４が、光拡散シート１５ａにおけるＬＥＤ１７側の端位置からの距離が光拡散シート１５ａの外寸Ｌｖの１／１０の寸法となる位置よりもＬＥＤ１７側に配されることで、上記した中央側の領域に可変拡散部２４が含まれない配置となるので、可変拡散部２４においてその拡散度合いの変化に伴って可変拡散部２４の出射光量に変化が生じていても、それが輝度ムラとして視認され難いものとなる。これにより、輝度ムラを抑制する上で一層好適とされる。
【００５１】
また、可変拡散部２４は、拡散度合いがＬＥＤ１７側の端位置に近づくのに従って連続的に漸次高くなるよう構成されている。このようにすれば、ＬＥＤ１７の配置などに起因して生じ得る導光板１９の出射光量のムラに対して、可変拡散部２４における拡散度合いがより適切に変化するものとされているので、導光板１９の出射光が良好に拡散され、もって当該バックライト装置１２の出射光に輝度ムラが一層生じ難いものとなる。
【００５２】
また、光拡散シート１５ａは、透光性を有する基材２３ａと、基材２３ａ中に分散配合される多数の光拡散粒子２３ｂと、を少なくとも有してなるものとされており、可変拡散部２４は、基材２３ａに含まれる光拡散粒子２３ｂの分布密度がＬＥＤ１７側の端位置に近づくのに従って高くなるよう構成されている。光拡散シート１５ａにおいては、基材２３ａ中に分散配合される光拡散粒子２３ｂの分布密度が高くなるほど拡散度合いが高くなるのに対し、光拡散粒子２３ｂの分布密度が低くなるほど拡散度合いが低くなる傾向にある。可変拡散部２４では、基材２３ａに含まれる光拡散粒子２３ｂの分布密度をＬＥＤ１７側の端位置に近づくのに従って高くすることで、その拡散度合いをＬＥＤ１７側の端位置に近づくのに従って高くすることができる。
【００５３】
また、可変拡散部２４は、光拡散粒子２３ｂの粒径がＬＥＤ１７側の端位置に近づくのに従って大きくなるとともに、光拡散粒子２３ｂの分布量がＬＥＤ１７側の端位置に近づくのに従って多くなるよう構成されている。光拡散シート１５ａにおいては、基材２３ａ中に分散配合される光拡散粒子２３ｂの粒径が大きくなるほど分布密度及び拡散度合いが高くなるとともに、光拡散粒子２３ｂの分布量が多くなるほど分布密度及び拡散度合いが高くなる傾向にある。可変拡散部２４では、光拡散粒子２３ｂの粒径をＬＥＤ１７側の端位置に近づくのに従って大きくするとともに、光拡散粒子２３ｂの分布量をＬＥＤ１７側の端位置に近づくのに従って多くすることで、その分布密度及び拡散度合いをＬＥＤ１７側の端位置に近づくのに従って高くすることができる。
【００５４】
本実施形態の液晶表示装置１０は、上記バックライト装置１２と、バックライト装置１２からの光を利用して表示を行う液晶パネル（表示パネル）１１と、を備える。このような構成の液晶表示装置１０によれば、バックライト装置１２の出射光に輝度ムラが生じ難いものとされているから、表示品位に優れた表示を実現することができる。
【００５５】
本方向のテレビ受信装置ＴＶは、上記液晶表示装置１０と、テレビ信号を受信可能なチューナー部（受信部）Ｔと、を備える。このようなテレビ受信装置ＴＶによれば、液晶表示装置１０の出射光に輝度ムラが生じ難いものとされているから、表示品位に優れたテレビ画像の表示を実現することができる。
【００５６】
＜実施形態２＞
本発明の実施形態２を図８から図１０によって説明する。この実施形態２では、光拡散シート１１５ａの可変拡散部１２４における拡散度合いをＸ軸方向についても変化させるようにしたものを示す。なお、上記した実施形態１と同様の構造、作用及び効果について重複する説明は省略する。
【００５７】
本実施形態に係る光拡散シート１１５ａの可変拡散部１２４は、図８から図１０に示すように、ＬＥＤ１１７の配置に応じてＸ軸方向についてヘイズ値（拡散度合い）が変化するよう構成されている。具体的には、可変拡散部１２４は、ＬＥＤ１１７の並び方向であるＸ軸方向について、ＬＥＤ１１７と重なり合う部分を（ＬＥＤ１１７の配光範囲となる部分）がＬＥＤ配置部（光源配置部）２６となり、ＬＥＤ１１７とは重なり合わない部分（ＬＥＤ１１７の配光範囲外となる部分）がＬＥＤ非配置部（光源非配置部）２７となるように区分したとき、ＬＥＤ配置部２６におけるヘイズ値が、ＬＥＤ非配置部２７におけるヘイズ値よりも相対的に高くなるものとされている。可変拡散部１２４を構成するＬＥＤ配置部２６及びＬＥＤ非配置部２７は、Ｘ軸方向に沿って交互に繰り返し並ぶ形で複数ずつ備えられており、ＬＥＤ配置部２６の設置数がＬＥＤ１１７の設置数と同数となるのに対し、ＬＥＤ非配置部２７の設置数がＬＥＤ１１７の設置数に１を足した数となっている。以下では、主に可変拡散部１２４の拡散度合いの詳細に関して、図９及び図１０を用いて説明する。
【００５８】
図９は、光拡散シート１１５ａのヘイズ値を、Ｙ軸方向に沿って光拡散シート１１５ａにおけるＹ１端からＹ２端に至るまでの分布を表すグラフである。図９には、ＬＥＤ非配置部２７におけるＸ軸方向についての中央位置のヘイズ値の変化を表すグラフを実線により、ＬＥＤ配置部２６におけるＸ軸方向についての中央位置のヘイズ値の変化を表すグラフを一点鎖線により、それぞれ図示している。この図９における一点鎖線のグラフは、上記した実施形態１における図６に記載したグラフと同一である。図１０は、光拡散シート１１５ａのヘイズ値を、Ｘ軸方向に沿って光拡散シート１１５ａにおけるＸ１端からＸ２端に至るまでの分布を表すグラフである。図１０には、光拡散シート１１５ａのＹ１端でのヘイズ値を実線により、光拡散シート１１５ａのＹ２端でのヘイズ値（光拡散シート１１５ａにおける可変拡散部１２４と一定拡散部１２５との境界位置Ｙ３でのヘイズ値）を二点鎖線により、光拡散シート１１５ａにおける可変拡散部１２４と一定拡散部１２５との境界位置Ｙ３からＹ１端に至る途中位置Ｙ５であってＬＥＤ配置部２６とＬＥＤ非配置部２７とでヘイズ値に乖離が生じる位置Ｙ５でのヘイズ値を破線により、光拡散シート１１５ａの可変拡散部１２４におけるＬＥＤ配置部２６とＬＥＤ非配置部２７とでヘイズ値に乖離が生じる位置Ｙ５からＹ１端に至る途中位置でのヘイズ値を一点鎖線により、それぞれ図示している。また、図９中には、可変拡散部１２４及び一定拡散部１２５の形成範囲を表す矢線を、図８及び図１０中には、ＬＥＤ配置部２６及びＬＥＤ非配置部２７の形成範囲を表す矢線を、それぞれ記載している。
【００５９】
この可変拡散部１２４を構成するＬＥＤ配置部２６及びＬＥＤ非配置部２７では、図９に示すように、Ｙ軸方向について一定拡散部１２５との境界位置Ｙ３からＹ１端（ＬＥＤ１１７側の端位置）に至る途中位置Ｙ５まではヘイズ値がほぼ同じ変化率でもって変化するものの、途中位置Ｙ５からＹ１端に至るまではＬＥＤ配置部２６におけるＸ軸方向についての中央位置でのヘイズ値が変化し続ける（ＬＥＤ１１７に近づくに従って高くなり続ける）のに対して、ＬＥＤ非配置部２７におけるＸ軸方向についての中央位置でのヘイズ値がＬＥＤ１１７との位置関係に拘わらずに変化せずにほぼ一定となる。一方、この可変拡散部１２４におけるＹ５位置よりもＹ１端寄りの部分では、図１０に示すように、Ｘ軸方向について各ＬＥＤ配置部２６の中央位置に近づくとともに各ＬＥＤ非配置部２７の中央位置から遠ざかるのに従ってヘイズ値が高くなるのに対し、Ｘ軸方向について各ＬＥＤ配置部２６の中央位置から遠ざかるとともに各ＬＥＤ非配置部２７の中央位置に近づくのに従ってヘイズ値が低くなるものとされる。可変拡散部１２４におけるＹ５位置よりもＹ１端寄りの部分では、各ＬＥＤ配置部２６におけるＸ軸方向についての中央位置ではヘイズ値が最大値となり、各ＬＥＤ非配置部２７におけるＸ軸方向についての中央位置ではヘイズ値が最小値となる。この可変拡散部１２４におけるＹ５位置よりもＹ１端寄りの部分での、Ｘ軸方向についてのヘイズ値の変化を表すグラフ（図１０において実線や一点鎖線にて示されるグラフ）は、ピークとボトムとが交互に繰り返す波形をなしている。
【００６０】
このような構成によれば、次の作用が得られる。まず、導光板１１９の光出射面から出射した光が光拡散シート１１５ａの可変拡散部１２４に入射する入射光量は、可変拡散部１２４のうち、Ｘ軸方向についてＬＥＤ１１７と重なり合う位置関係とされるＬＥＤ配置部２６の方が、Ｘ軸方向についてＬＥＤ１１７とは重なり合わない位置関係とされるＬＥＤ非配置部２７に比べると、相対的に多いものとされる。これに対し、ＬＥＤ配置部２６におけるヘイズ値は、ＬＥＤ非配置部２７におけるヘイズ値よりも相対的に高くされているので、ＬＥＤ配置部２６からの光の出射が相対的に抑制される。ＬＥＤ配置部２６において出射が抑制された光の一部は、ＬＥＤ非配置部２７側に供給されることになる。その一方、ＬＥＤ非配置部２７におけるヘイズ値は、ＬＥＤ配置部２６におけるヘイズ値よりも相対的に低くされているので、ＬＥＤ非配置部２７からの光の出射が相対的に促進され、ＬＥＤ配置部２６側から供給された光がＬＥＤ非配置部２７の出射光として利用されることになる。これにより、ＬＥＤ配置部２６からの出射光量と、ＬＥＤ非配置部２７からの出射光量と、を平準化することができ、もって可変拡散部１２４の出射光には、Ｘ軸方向について輝度ムラが生じ難いものとなる。
【００６１】
上記した可変拡散部１２４に入射する入射光量に係るムラは、Ｙ軸方向についてＬＥＤ１１７から遠ざかるほど目立ち難くなるのに対し、Ｙ軸方向についてＬＥＤ１１７に近づくほど目立ち易くなる傾向にある。これに対し、ＬＥＤ非配置部２７では、Ｙ軸方向について光拡散シート１１５ａにおける可変拡散部１２４と一定拡散部１２５との境界位置Ｙ３からＹ１端（ＬＥＤ１１７側の端位置）に至る途中位置Ｙ５からＹ１端に至るまでの間、ヘイズ値がほぼ一定とされていてヘイズ値がそれ以上に高くなることがない構成とされているから、ＬＥＤ非配置部２７からの光の出射が妨げられ難くなっていて暗部が視認され難いものとなる。特に、ＬＥＤ１１７の性能改善に伴って個々のＬＥＤ１１７の発光量が多くなり、それに従って隣り合うＬＥＤ１１７の間の間隔が広い配置構成においては、ＬＥＤ１１７間に暗部が生じ易い傾向にあることから、上記のような光拡散シート１１５ａを用いるのが好適である。
【００６２】
以上説明したように本実施形態によれば、ＬＥＤ１１７は、複数が光入射面１１９ｂに沿って間隔を空けて並んで配されており、可変拡散部１２４は、ＬＥＤ１１７の並び方向についてＬＥＤ１１７と重なり合う位置関係とされるＬＥＤ配置部（光源配置部）２６と、ＬＥＤ１１７の並び方向についてＬＥＤ１１７とは重なり合わない位置関係とされるＬＥＤ非配置部（光源非配置部）２７と、に区分されるとともに、ＬＥＤ配置部２６における拡散度合いが、ＬＥＤ非配置部２７における拡散度合いよりも相対的に高いものとされる。導光板１１９の光出射面から出射した光が可変拡散部１２４に入射する入射光量は、可変拡散部１２４のうち、ＬＥＤ１１７の並び方向についてＬＥＤ１１７と重なり合う位置関係とされるＬＥＤ配置部２６の方が、ＬＥＤ１１７の並び方向についてＬＥＤ１１７とは重なり合わない位置関係とされるＬＥＤ非配置部２７に比べると、相対的に多いものとされる。これに対し、ＬＥＤ配置部２６における拡散度合いが、ＬＥＤ非配置部２７における拡散度合いよりも相対的に高くされることで、ＬＥＤ配置部２６からの光の出射を抑制するとともに一部の光をＬＥＤ非配置部２７側に供給することができる。これにより、ＬＥＤ配置部２６からの出射光量と、ＬＥＤ非配置部２７からの出射光量と、を平準化することができ、もって可変拡散部１２４の出射光に係る輝度ムラがより生じ難いものとなる。特に、隣り合うＬＥＤ１１７の間の間隔が広い配置構成において有用とされる。
【００６３】
また、ＬＥＤ配置部２６は、可変拡散部１２４におけるＬＥＤ１１７側の端位置において拡散度合いが最大となるのに対し、ＬＥＤ非配置部２７は、可変拡散部１２４におけるＬＥＤ１１７側の端位置よりも手前の位置にて拡散度合いが最大となり且つその最大値がＬＥＤ配置部２６における拡散度合いの最大値よりも低いものとされる。ＬＥＤ配置部２６では、導光板１１９の光出射面から出射した光の入射光量が、ＬＥＤ１１７側の端位置に近づくほど多くなるものの、ＬＥＤ非配置部２７では、導光板１１９の光出射面から出射した光の入射光量が、ＬＥＤ１１７側の端位置に近づくほど少なくなる場合がある。これに対し、ＬＥＤ配置部２６は、可変拡散部１２４におけるＬＥＤ１１７側の端位置において拡散度合いが最大となることで、ＬＥＤ配置部２６への入射光量が多くなるＬＥＤ１１７側の端位置側ほど光をより拡散させて光の出射を抑制することができる。その上で、ＬＥＤ非配置部２７は、可変拡散部２４におけるＬＥＤ１１７側の端位置よりも手前の位置にて拡散度合いが最大となり且つその最大値がＬＥＤ配置部２６における拡散度合いの最大値よりも低いものとされることで、ＬＥＤ非配置部２７への入射光量が少なくなるＬＥＤ１１７側の端位置側での光の拡散を抑制して光の出射を促進することができる。これにより、ＬＥＤ配置部２６からの出射光量と、ＬＥＤ非配置部２７からの出射光量と、をより好適に平準化することができ、もって可変拡散部１２４の出射光に係る輝度ムラが一層生じ難いものとなる。
【００６４】
＜実施形態３＞
本発明の実施形態３を図１１によって説明する。この実施形態３では、上記した実施形態２から可変拡散部２２４における拡散度合いの変化の仕方を変更したものを示す。なお、上記した実施形態２と同様の構造、作用及び効果について重複する説明は省略する。
【００６５】
本実施形態に係る可変拡散部２２４を構成するＬＥＤ非配置部では、図１１の実線に示されるように、可変拡散部２２４と一定拡散部２２５との境界位置Ｙ３からＹ１端（ＬＥＤ側の端位置）に至る途中位置Ｙ５からＹ１端に至る手前の位置Ｙ６までは、ヘイズ値（拡散度合い）がほぼ一定とされるものの、上記位置Ｙ６からＹ１端に至るまでは、ヘイズ値が次第に低下するよう構成されている。なお、図１１は、実施形態２の図９と同様に光拡散シートのヘイズ値におけるＹ軸方向についての分布を表すグラフであり、同図中の実線がＬＥＤ非配置部におけるＸ軸方向についての中央位置のヘイズ値の変化を表すグラフを、同図中の一点鎖線がＬＥＤ配置部におけるＸ軸方向についての中央位置のヘイズ値の変化を表すグラフを、それぞれ示している。
【００６６】
このような構成によれば、次の作用が得られる。まず、可変拡散部２２４に入射する入射光量に係るムラは、Ｙ軸方向についてＬＥＤから遠ざかるほど目立ち難くなるのに対し、Ｙ軸方向についてＬＥＤに近づくほど目立ち易くなる傾向にある。これに対し、ＬＥＤ非配置部では、Ｙ軸方向について光拡散シートにおける可変拡散部２２４と一定拡散部２２５との境界位置Ｙ３からＹ１端に至る途中位置Ｙ５から位置Ｙ６に至るまでの間はヘイズ値がほぼ一定とされ、さらに位置Ｙ６からＹ１端に至るまでの間はヘイズ値が低下する構成とされているから、ＬＥＤ非配置部のうち、最もＬＥＤに近い部分であるＹ軸方向についての位置Ｙ６からＹ１端までの部分からの光の出射が一層促進される。これにより、暗部が一層視認され難いものとなり、輝度ムラの抑制に一層好適とされる。
【００６７】
＜実施形態４＞
本発明の実施形態４を図１２または図１３によって説明する。この実施形態４では、上記した実施形態１にも記載した光反射パターンＬＲＰを詳しく説明するとともに、光反射パターンＬＲＰとフレーム３１６と光拡散シート３１５ａの可変拡散部３２４との関係を特定している。なお、上記した実施形態１と同様の構造、作用及び効果について重複する説明は省略する。
【００６８】
本実施形態に係る導光板３１９の反対板面３１９ｃには、図１２及び図１３に示すように、導光板３１９内を伝播する光を反射させて光出射面３１９ａからの出射を促すための光反射部２８からなる光反射パターンＬＲＰが設けられている。光反射パターンＬＲＰを構成する光反射部２８は、導光板３１９の反対板面３１９ｃに光反射性材料（例えば酸化チタンなどの金属酸化物を含有する白色を呈するインク）を印刷することで形成される多数のドット２８ａからなるものとされている。光反射部２８は、そのドット２８ａの分布密度（反対板面３１９ｃにおける単位面積当たりの面積比率）が、Ｙ軸方向について導光板３１９の光入射面３１９ｂ側（ＬＥＤ３１７側）の端位置（Ｙ１端）からその反対側（入光反対端面３１９ｄ側）の端位置（Ｙ２端）に近づくのに従って次第に大きくなるような分布でもって形成されている。具体的には、光反射部２８のドット２８ａは、平面に視て略円形状をなしており、Ｙ軸方向について光入射面３１９ｂから遠ざかるのに従って、その径寸法及び面積が連続的に漸次大きくなるよう形成されている。光反射部２８のドット２８ａのうち、Ｙ軸方向について最も光入射面３１９ｂ（ＬＥＤ３１７）に近いもの（特にドット２８ａＡとする）の径寸法及び面積が最小とされるのに対し、Ｙ軸方向について最も光入射面３１９ｂから遠いものの径寸法及び面積が最大とされる。導光板３１９の光出射面３１９ａからの出射光量は、光反射部２８の分布密度に比例する傾向にあり、詳しくは、光反射部２８の分布密度にが高くなるほど光出射面３１９ａからの出射光量が増加し、光反射部２８の分布密度にが低くなるほど光出射面３１９ａからの出射光量が減少する傾向にある。従って、光反射部２８の分布密度を上記のようにすることで、光出射面３１９ａからの出射光量がＹ軸方向についてＬＥＤ３１７からの距離に拘わらず平準化され易くなり、もって光出射面３１９ａからの出射光にＹ軸方向についての輝度ムラが生じ難いものとなる。なお、図１２には、光反射部２８のドット２８ａを網掛け状にして図示している。
【００６９】
上記した光反射パターンＬＲＰの光反射部２８は、導光板３１９を表側（光出射面３１９ａ側）から押さえて保持するためのフレーム３１６、及び光拡散シート３１５ａの可変拡散部３２４に対して次のような位置関係でもって設けられている。すなわち、光反射部２８を構成する多数のドット２８ａのうち、Ｙ軸方向について最もＬＥＤ３１７の近くに配されるドット２８ａＡは、フレーム３１６における導光板３１９の押さえ位置、より詳しくはフレーム３１６における内端位置よりもＹ軸方向についてＬＥＤ３１７から遠い配置とされている。さらには、Ｙ軸方向について最もＬＥＤ３１７の近くに配されるドット２８ａＡは、光拡散シート３１５ａの可変拡散部３２４に対して平面に視て重畳する配置とされている。つまり、Ｙ軸方向について最もＬＥＤ３１７の近くに配されるドット２８ａＡは、光拡散シート３１５ａの可変拡散部３２４と一定拡散部３２５との境界位置よりもＹ軸方向についてＬＥＤ３１７に近い位置に配されている、と言える。
【００７０】
このような構成によれば、次の作用が得られる。まず、導光板３１９内を伝播する光は、図１３に示すように、反対板面３１９ｃに配された光反射パターンＬＲＰを構成する光反射部２８によって反射されることで、光出射面３１９ａからの出射が促される。ここで、光反射パターンＬＲＰのうち最もＬＥＤ３１７の近くに配される光反射部２８のドット２８ａＡが、フレーム３１６による導光板３１９の押さえ位置よりもＬＥＤ３１７から遠い配置とされることで、光反射部２８のドット２８ａＡにより反射された光がフレーム３１６によって遮られて出光が妨げられる事態が生じ難くなる。これにより、光の利用効率が高いものとなる。ところが、光反射パターンＬＲＰをこのような配置構成にすると、最もＬＥＤ３１７の近くに配される光反射部２８のドット２８ａＡよりもＬＥＤ３１７側では、光反射パターンＬＲＰによる光の反射がなされないため、ドット２８ａＡよりもＬＥＤ３１７側において暗部が生じ易くなり、それがＸ軸方向に沿って延在する暗線として視認されることが懸念される。その点、光拡散シート３１５ａにおける可変拡散部３２４は、最もＬＥＤ３１７の近くに配される光反射部２８のドット２８ａに対して重畳する形で配されており、その拡散度合いがＬＥＤ３１７側の端位置に近づくのに従って高くされているから、導光板３１９の光出射面３１９ａのうちのドット２８ａＡよりもＬＥＤ３１７側の部分からの出射光が高い拡散度合いでもって拡散され、もって上記のような暗線が視認され難くすることができる。以上により、光の利用効率を向上させつつ輝度ムラの発生を好適に抑制することができる。
【００７１】
以上説明したように本実施形態によれば、少なくとも導光板３１９を光出射面３１９ａ側から押さえてその保持を図るフレーム（保持部材）３１６を備えており、導光板３１９のうち、光出射面３１９ａとは反対側の反対板面３１９ｃには、光を光出射面３１９ａから出射させるための複数の光反射部２８からなる光反射パターンＬＲＰが設けられており、光反射パターンＬＲＰは、複数の光反射部２８のうち、最もＬＥＤ３１７の近くに配される光反射部２８（ドット２８ａＡ）が、フレーム３１６による導光板３１９の押さえ位置よりもＬＥＤ３１７から遠い配置となるよう構成されているのに対し、可変拡散部３２４は、最もＬＥＤ３１７の近くに配される光反射部２８（ドット２８ａＡ）に対して重畳する形で配されている。このようにすれば、導光板３１９内を伝播する光は、反対板面３１９ｃに配された光反射パターンＬＲＰを構成する光反射部２８によって反射されることで、光出射面３１９ａからの出射が促される。光反射パターンＬＲＰのうち最もＬＥＤ３１７の近くに配される光反射部２８（ドット２８ａＡ）が、少なくとも導光板３１９を光出射面３１９ａ側から押さえてその保持を図るフレーム３１６による導光板３１９の押さえ位置よりもＬＥＤ３１７から遠い配置とされることで、光反射部２８により反射された光がフレーム３１６によって遮られて出光が妨げられる事態が生じ難くなるので、光の利用効率が高いものとなる。光反射パターンＬＲＰをこのような配置構成にすると、最もＬＥＤ３１７の近くに配される光反射部２８（ドット２８ａＡ）よりもＬＥＤ３１７側では、光反射パターンＬＲＰによる光の反射がなされないため、暗部が生じることが懸念される。その点、光拡散シート３１５ａにおける可変拡散部３２４は、最もＬＥＤ３１７の近くに配される光反射部２８（ドット２８ａＡ）に対して重畳する形で配されており、その拡散度合いがＬＥＤ３１７側の端位置に近づくのに従って高くされているから、上記のような暗部が視認され難くすることができる。以上により、光の利用効率を向上させつつ輝度ムラの発生を好適に抑制することができる。
【００７２】
＜実施形態５＞
本発明の実施形態５を図１４または図１５によって説明する。この実施形態５では、上記した実施形態１からＬＥＤ４１７及びＬＥＤ基板４１８の配置を変更したものを示す。なお、上記した実施形態１と同様の構造、作用及び効果について重複する説明は省略する。
【００７３】
本実施形態に係るＬＥＤ４１７及びＬＥＤ基板４１８は、図１４に示すように、シャーシ４１４における短辺側の一端部に配置されている。詳しくは、ＬＥＤ基板４１８は、シャーシ４１４における一方（図１４に示す左側）の短辺側の側板４１４ｂに対して取り付けられており、そこに実装されたＬＥＤ４１７が導光板４１９の外周端面のうちの一方の短辺側の端面と対向する形で配されている。従って、本実施形態では、導光板４１９の外周端面のうちの一方の短辺側の端面がＬＥＤ４１７からの光が入射される光入射面４１９ｂとされるのに対し、他方（図１４に示す右側）の短辺側の端面が入光反対端面４１９ｄとされる。また、ＬＥＤ４１７と導光板４１９との並び方向、ＬＥＤ４１７の光軸、及び光入射面４１９ｂの法線方向は、それぞれＸ軸方向と一致することになる。また、複数のＬＥＤ４１７の並び方向、及び光入射面４１９ｂの長さ方向（延在方向）は、それぞれＹ軸方向と一致することになる。
【００７４】
そして、本実施形態に係る光拡散シート４１５ａの可変拡散部４２４は、図１４及び図１５に示すように、Ｘ軸方向について光拡散シート４１５ａにおけるＬＥＤ４１７側の端位置（図１４に示すＸ１端）から所定範囲にわたる部分からなる。可変拡散部４２４は、図１５に示すように、そのヘイズ値（拡散度合い）がＸ軸方向についてＬＥＤ４１７側の端位置に近づくのに従って高くなり、逆にＬＥＤ４１７側の端位置から遠ざかるのに従って低くなるものとされる。一定拡散部４２５は、光拡散シート４１５ａのうち可変拡散部４２４に対してＬＥＤ４１７側とは反対側に隣り合う部分、より詳しくはＸ軸方向について可変拡散部４２４におけるＬＥＤ４１７側とは反対側の端位置（拡散度合いの変化開始位置）Ｘ３から光拡散シート４１５ａにおけるＬＥＤ４１７側とは反対側の端位置（図１４に示すＸ２端）に至る範囲の部分からなる。一定拡散部４２５は、Ｘ軸方向について可変拡散部４２４におけるＬＥＤ４１７側とは反対側の端位置Ｘ３から光拡散シート４１５ａにおけるＬＥＤ４１７側とは反対側の端位置に至るまでの間、そのヘイズ値がＬＥＤ４１７からの距離とは無関係にほぼ一定で且つ可変拡散部４２４におけるヘイズ値の最大値よりも低くて同ヘイズ値の最小値とほぼ等しくされている。なお、本実施形態に係る可変拡散部４２４におけるヘイズ値の最大値及び最小値は、上記した実施形態１に係る可変拡散部２４におけるヘイズ値の最大値及び最小値と同一とされる。また、図１５は、光拡散シート４１５ａのヘイズ値におけるＸ軸方向についての分布を表すグラフである。また、図１４及び図１５中には、可変拡散部４２４及び一定拡散部４２５の形成範囲を表す矢線を、それぞれ記載している。
【００７５】
さらには、可変拡散部４２４におけるＸ軸方向についての寸法、つまり光拡散シート４１５ａにおけるＬＥＤ４１７側の端位置から可変拡散部４２４と一定拡散部４２５との境界位置Ｘ３までの距離は、図１４及び図１５に示すように、光拡散シート４１５ａにおける長辺寸法、つまりＸ軸方向についての外寸Ｌｈの１／１０よりも小さくなっている。従って、光拡散シート４１５ａは、可変拡散部４２４が、光拡散シート４１５ａにおけるＬＥＤ４１７側の端位置からの距離が光拡散シート４１５ａの外寸Ｌｈの１／１０の寸法（Ｌｈ／１０）となる位置Ｘ４よりもＬＥＤ４１７側（Ｘ１端側）に配されるよう構成されている、と言える。本実施形態では、可変拡散部４２４の形成範囲の基準となる光拡散シート４１５ａの外寸Ｌｈが長辺寸法であり、上記した実施形態１の短辺方向の外寸Ｌｖ（図４を参照）よりも大きなものとされているので、本実施形態に係る可変拡散部４２４におけるＸ軸方向についての寸法（可変拡散部４２４の形成範囲）は、上記した実施形態１に係る可変拡散部２４におけるＹ軸方向についての寸法よりも大きくなっている。また、可変拡散部４２４におけるヘイズ値の変化率は、図１５に示すように、可変拡散部４２４におけるヘイズ値の最大値と最小値との差を、可変拡散部４２４におけるＸ軸方向についての寸法によって除することで得られるものとされている。従って、本実施形態に係る可変拡散部４２４におけるヘイズ値の変化率は、上記した実施形態１に記載した可変拡散部２４におけるヘイズ値の変化率（図６を参照）よりも小さく、ヘイズ値の変化が相対的に緩やかなものとなっている。このように可変拡散部４２４においてヘイズ値の変化がより緩やかなものとされることで、導光板４１９の光出射面からの出射光を、Ｘ軸方向についてのＬＥＤ４１７との位置関係により適合した形で拡散させることができ、それにより輝度ムラをより好適に抑制することができる。
【００７６】
＜実施形態６＞
本発明の実施形態６を図１６によって説明する。この実施形態６では、上記した実施形態１から可変拡散部５２４におけるヘイズ値の変化の仕方を変更したものを示す。なお、上記した実施形態１と同様の構造、作用及び効果について重複する説明は省略する。
【００７７】
本実施形態に係る可変拡散部５２４は、図１６に示すように、そのヘイズ値がＬＥＤとの位置関係に応じて直線的に変化するものとされる。つまり、可変拡散部５２４におけるヘイズ値の変化を表すグラフは、ＬＥＤ側の端位置（Ｙ１端）に近づくに連れてヘイズ値が緩やかに上昇する、直線状のスロープを有するものとされる。なお、図１６は、上記した実施形態１に記載した図６と同様に、光拡散シートにおけるＹ軸方向についてのヘイズ値の変化を表すグラフであり、同図中に可変拡散部５２４を矢線にて表している。
【００７８】
＜実施形態７＞
本発明の実施形態７を図１７によって説明する。この実施形態７では、上記した実施形態１から可変拡散部６２４におけるヘイズ値の変化の仕方を変更したものを示す。なお、上記した実施形態１と同様の構造、作用及び効果について重複する説明は省略する。
【００７９】
本実施形態に係る可変拡散部６２４は、図１７に示すように、そのヘイズ値がＬＥＤとの位置関係に応じて多段階の階段状に変化するものとされている。つまり、可変拡散部６２４は、Ｙ軸方向についてＬＥＤ側の端位置（Ｙ１端）に近づくのに従ってそのヘイズ値が段階的に逐次高くなるよう変化するよう構成されている。なお、図１７は、上記した実施形態１に記載した図６と同様に、光拡散シートにおけるＹ軸方向についてのヘイズ値の変化を表すグラフであり、同図中に可変拡散部６２４を矢線にて表している。
【００８０】
＜実施形態８＞
本発明の実施形態８を図１８によって説明する。この実施形態８では、上記した実施形態６から光拡散シートの全域を可変拡散部７２４となるよう変更したものを示す。なお、上記した実施形態６と同様の構造、作用及び効果について重複する説明は省略する。
【００８１】
本実施形態に係る光拡散シートは、図１８に示すように、その全域が可変拡散部７２４とされており、上記した実施形態１に記載した一定拡散部２５（図６を参照）を有さない構成とされている。つまり、この光拡散シートを構成する可変拡散部７２４は、ＬＥＤ側の端位置であるＹ１端からその反対側の端位置であるＹ２端に至るまで、ヘイズ値が変化し続ける構成とされる。従って、光拡散シートのヘイズ値は、Ｙ１端にて最大値となるのに対し、Ｙ２端にて最小値となるものとされる。このような構成においても、上記した実施形態１と同様に、導光板の光出射面からの出射光を光拡散シートによって良好に拡散して輝度ムラの発生を好適に抑制することができる。なお、図１８は、上記した実施形態１に記載した図６と同様に、光拡散シートにおけるＹ軸方向についてのヘイズ値の変化を表すグラフであり、同図中に可変拡散部７２４を矢線にて表している。
【００８２】
＜実施形態９＞
本発明の実施形態９を図１９によって説明する。この実施形態９では、上記した実施形態２から可変拡散部８２４を構成するＬＥＤ非配置部におけるヘイズ値の変化の仕方を変更したものを示す。なお、上記した実施形態２と同様の構造、作用及び効果について重複する説明は省略する。
【００８３】
本実施形態に係る可変拡散部８２４を構成するＬＥＤ非配置部は、図１９に示すように、可変拡散部８２４と一定拡散部８２５との境界位置Ｙ３からＬＥＤ側の端位置（Ｙ１端）に至るまでの間のヘイズ値の変化率が、ＬＥＤ配置部の同変化率に比べると、常に小さなものとなっており、ヘイズ値の変化が緩やかなものとなっている。なお、図１９は、上記した実施形態１に記載した図６と同様に、光拡散シートにおけるＹ軸方向についてのヘイズ値の変化を表すグラフであり、同図中の実線がＬＥＤ非配置部のヘイズ値の変化を、同図中の二点鎖線がＬＥＤ配置部のヘイズ値の変化を、それぞれ表している。このような構成においても、上記した実施形態２と同様に、導光板の光出射面からの出射光を光拡散シートによって良好に拡散して輝度ムラの発生を好適に抑制することができる。
【００８４】
＜実施形態１０＞
本発明の実施形態１０を図２０または図２１によって説明する。この実施形態１０では、上記した実施形態１から両側入光タイプのバックライト装置９１２に変更したものを示す。なお、上記した実施形態１と同様の構造、作用及び効果について重複する説明は省略する。
【００８５】
本実施形態に係るＬＥＤ９１７及びＬＥＤ基板９１８は、図２０に示すように、シャーシ９１４における長辺側の両端部にそれぞれ配置されている。詳しくは、ＬＥＤ基板９１８は、シャーシ９１４における一方（図２０に示す左側）の長辺側の側板９１４ｂと、他方（図２０に示す右側）の長辺側の側板９１４ｂと、に対してそれぞれ取り付けられており、各ＬＥＤ基板９１８に実装された各ＬＥＤ９１７が導光板９１９の外周端面のうちの一対の長辺側の端面のそれぞれと対向する形で配されている。従って、本実施形態では、導光板９１９の外周端面のうちの一対の長辺側の端面のそれぞれがＬＥＤ９１７からの光が入射される光入射面９１９ｂとされる。このように本実施形態に係るバックライト装置９１２は、導光板９１９がその短辺方向（Ｙ軸方向）についての両側から一対のＬＥＤ基板９１８及びそれらに実装された各ＬＥＤ９１７によって挟み込まれてなる、両側入光タイプとされている。
【００８６】
そして、本実施形態に係る光拡散シート９１５ａの可変拡散部９２４は、図２０及び図２１に示すように、光拡散シート９１５ａのうちＹ軸方向についての両端位置（図２０に示すＹ１端及びＹ２端）のそれぞれから所定範囲にわたる部分からなる。つまり、可変拡散部９２４は、光拡散シート９１５ａにおけるＹ軸方向についての両端側部分のそれぞれに一対が設けられていることになる。可変拡散部９２４は、図２１に示すように、そのヘイズ値（拡散度合い）がＹ軸方向についてＬＥＤ９１７側の端位置（図２０に示すＹ１端またはＹ２端）に近づいて中央位置から遠ざかるのに従って高くなり、逆にＬＥＤ９１７側の端位置から遠ざかって中央位置に近づくのに従って低くなるものとされる。一定拡散部９２５は、光拡散シート９１５ａのうち各可変拡散部９２４に対してＬＥＤ９１７側とは反対側に隣り合う部分、つまりＹ軸方向についての中央側部分からなるものとされる。一定拡散部９２５は、Ｙ軸方向について一方の可変拡散部９２４におけるＬＥＤ９１７側とは反対側の端位置Ｙ３からＹ軸方向について他方の可変拡散部９２４におけるＬＥＤ９１７側とは反対側の端位置Ｙ３′に至るまでの間、そのヘイズ値がＬＥＤ９１７からの距離とは無関係にほぼ一定で且つ各可変拡散部９２４におけるヘイズ値の最大値よりも低くて同ヘイズ値の最小値とほぼ等しくされている。そして、光拡散シート９１５ａにおけるヘイズ値の変化を表すグラフは、左右対称形状となっている。なお、本実施形態に係る各可変拡散部９２４におけるヘイズ値の最大値及び最小値は、上記した実施形態１に係る可変拡散部２４におけるヘイズ値の最大値及び最小値と同一とされる。また、図２１は、光拡散シート９１５ａのヘイズ値におけるＹ軸方向についての分布を表すグラフである。また、図２０及び図２１中には、各可変拡散部９２４及び一定拡散部９２５の形成範囲を表す矢線を、それぞれ記載している。
【００８７】
さらには、各可変拡散部９２４におけるＹ軸方向についての寸法、つまり光拡散シート９１５ａにおけるＬＥＤ９１７側の各端位置から可変拡散部９２４と一定拡散部９２５との各境界位置Ｙ３，Ｙ３′までの距離は、図２０及び図２１に示すように、光拡散シート９１５ａにおける短辺寸法、つまりＹ軸方向についての外寸Ｌｖの１／１０よりも小さくなっている。従って、光拡散シート９１５ａは、各可変拡散部９２４が、光拡散シート９１５ａにおけるＬＥＤ９１７側の各端位置からの距離が光拡散シート９１５ａの外寸Ｌｖの１／１０の寸法（Ｌｖ／１０）となる位置Ｙ４，Ｙ４′よりもＬＥＤ９１７側（Ｙ１端側、Ｙ２端側）に配されるよう構成されている、と言える。なお、一定拡散部９２５におけるＹ軸方向についての寸法は、光拡散シート９１５ａにおけるＹ軸方向についての外寸Ｌｖの８／１０よりも大きくなっている。また、可変拡散部９２４におけるヘイズ値の変化率は、図２１に示すように、可変拡散部９２４におけるヘイズ値の最大値と最小値との差を、可変拡散部９２４におけるＹ軸方向についての寸法によって除することで得られるものとされている。このような構成であっても、導光板９１９をその短辺方向について両側から挟み込む形で配される各ＬＥＤ９１７から各光入射面９１９ｂに入射された後に光出射面から出射される出射光は、光拡散シート９１５ａの各可変拡散部９２４及び一定拡散部９２５によって良好に拡散されるので、輝度ムラの発生を好適に抑制することができる。
【００８８】
＜実施形態１１＞
本発明の実施形態１１を図２２または図２３によって説明する。この実施形態１１では、上記した実施形態５から両側入光タイプのバックライト装置１０１２に変更したものを示す。なお、上記した実施形態５と同様の構造、作用及び効果について重複する説明は省略する。
【００８９】
本実施形態に係るＬＥＤ１０１７及びＬＥＤ基板１０１８は、図２２に示すように、シャーシ１０１４における短辺側の両端部にそれぞれ配置されている。詳しくは、ＬＥＤ基板１０１８は、シャーシ１０１４における一方（図２２に示す左側）の短辺側の側板１０１４ｂと、他方（図２２に示す右側）の短辺側の側板１０１４ｂと、に対してそれぞれ取り付けられており、各ＬＥＤ基板１０１８に実装された各ＬＥＤ１０１７が導光板１０１９の外周端面のうちの一対の短辺側の端面のそれぞれと対向する形で配されている。従って、本実施形態では、導光板１０１９の外周端面のうちの一対の短辺側の端面のそれぞれがＬＥＤ１０１７からの光が入射される光入射面１０１９ｂとされる。このように本実施形態に係るバックライト装置１０１２は、導光板１０１９がその長辺方向（Ｘ軸方向）についての両側から一対のＬＥＤ基板１０１８及びそれらに実装された各ＬＥＤ１０１７によって挟み込まれてなる、両側入光タイプとされている。
【００９０】
そして、本実施形態に係る光拡散シート１０１５ａの可変拡散部１０２４は、図２２及び図２３に示すように、光拡散シート１０１５ａのうちＸ軸方向についての両端位置（図２２に示すＸ１端及びＸ２端）のそれぞれから所定範囲にわたる部分からなる。つまり、可変拡散部１０２４は、光拡散シート１０１５ａにおけるＸ軸方向についての両端側部分のそれぞれに一対が設けられていることになる。可変拡散部１０２４は、図２３に示すように、そのヘイズ値（拡散度合い）がＸ軸方向についてＬＥＤ１０１７側の端位置（図２２に示すＸ１端またはＸ２端）に近づいて中央位置から遠ざかるのに従って高くなり、逆にＬＥＤ１０１７側の端位置から遠ざかって中央位置に近づくのに従って低くなるものとされる。一定拡散部１０２５は、光拡散シート１０１５ａのうち各可変拡散部１０２４に対してＬＥＤ１０１７側とは反対側に隣り合う部分、つまりＸ軸方向についての中央側部分からなるものとされる。一定拡散部１０２５は、Ｘ軸方向について一方の可変拡散部１０２４におけるＬＥＤ１０１７側とは反対側の端位置Ｘ３からＸ軸方向について他方の可変拡散部１０２４におけるＬＥＤ１０１７側とは反対側の端位置Ｘ３′に至るまでの間、そのヘイズ値がＬＥＤ１０１７からの距離とは無関係にほぼ一定で且つ各可変拡散部１０２４におけるヘイズ値の最大値よりも低くて同ヘイズ値の最小値とほぼ等しくされている。そして、光拡散シート１０１５ａにおけるヘイズ値の変化を表すグラフは、左右対称形状となっている。なお、本実施形態に係る各可変拡散部１０２４におけるヘイズ値の最大値及び最小値は、上記した実施形態１に係る可変拡散部２４におけるヘイズ値の最大値及び最小値と同一とされる。また、図２３は、光拡散シート１０１５ａのヘイズ値におけるＸ軸方向についての分布を表すグラフである。また、図２２及び図２３中には、各可変拡散部１０２４及び一定拡散部１０２５の形成範囲を表す矢線を、それぞれ記載している。
【００９１】
さらには、各可変拡散部１０２４におけるＸ軸方向についての寸法、つまり光拡散シート１０１５ａにおけるＬＥＤ１０１７側の各端位置から可変拡散部１０２４と一定拡散部１０２５との各境界位置Ｘ３，Ｘ３′までの距離は、図２２及び図２３に示すように、光拡散シート１０１５ａにおける短辺寸法、つまりＸ軸方向についての外寸Ｌｈの１／１０よりも小さくなっている。従って、光拡散シート１０１５ａは、各可変拡散部１０２４が、光拡散シート１０１５ａにおけるＬＥＤ１０１７側の各端位置からの距離が光拡散シート１０１５ａの外寸Ｌｈの１／１０の寸法（Ｌｈ／１０）となる位置Ｘ４，Ｘ４′よりもＬＥＤ１０１７側（Ｘ１端側、Ｘ２端側）に配されるよう構成されている、と言える。なお、一定拡散部１０２５におけるＸ軸方向についての寸法は、光拡散シート１０１５ａにおけるＸ軸方向についての外寸Ｌｈの８／１０よりも大きくなっている。また、可変拡散部１０２４におけるヘイズ値の変化率は、図２３に示すように、可変拡散部１０２４におけるヘイズ値の最大値と最小値との差を、可変拡散部１０２４におけるＸ軸方向についての寸法によって除することで得られるものとされている。このような構成であっても、導光板１０１９をその長辺方向について両側から挟み込む形で配される各ＬＥＤ１０１７から各光入射面１０１９ｂに入射された後に光出射面から出射される出射光は、光拡散シート１０１５ａの各可変拡散部１０２４及び一定拡散部１０２５によって良好に拡散されるので、輝度ムラの発生を好適に抑制することができる。
【００９２】
＜他の実施形態＞
本発明は上記記述及び図面によって説明した実施形態に限定されるものではなく、例えば次のような実施形態も本発明の技術的範囲に含まれる。
（１）上記した各実施形態以外にも、光拡散シートにおける可変拡散部と一定拡散部との境界位置、つまり可変拡散部及び一定拡散部の各形成範囲（占有比率）に関する具体的な数値は適宜に変更可能である。具体的には、光拡散シートにおけるＬＥＤ側の端位置から一定拡散部との境界位置に至るまでの可変拡散部の寸法が、光拡散シートの外寸の１／１０以上であってもよく、それ以外（光拡散シートの外寸の２／１０程度、１／３程度、２／３程度、１／２程度、９／１０程度など）であっても構わない。その場合、可変拡散部の形成範囲を変更するのに連動（追従）する形で一定拡散部の形成範囲を変更すればよい。
【００９３】
（２）上記した各実施形態では、光拡散シートの可変拡散部において、その拡散度合いを変化させるための光拡散粒子の粒径及び分布量を共に変化させるようにした場合を示したが、可変拡散部の拡散度合いを変化させるに際しては、例えば光拡散粒子の分布量を一定にして光拡散粒子の粒径を変化させるようにしたり、逆に光拡散粒子の粒径を一定にして光拡散粒子の分布量を変化させるようにしたりすることも可能である。
【００９４】
（３）上記した各実施形態以外にも、光拡散シートを構成する可変拡散部及び一定拡散部の具体的なヘイズ値の数値は、適宜に変更可能である。
【００９５】
（４）上記した各実施形態以外にも、光拡散シートの基材や光拡散粒子の具体的な材料や材料の物性値（屈折率など）などは適宜に変更可能である。また、光拡散粒子の具体的な形状や粒径なども適宜に変更可能である。
【００９６】
（５）上記した各実施形態以外にも、光拡散シートからシート基材を省略することも可能である。
【００９７】
（６）上記した各実施形態では、フレームが光学部材（光拡散シート）を介して導光板を押さえて保持を図る構成を示したが、フレームが導光板を直接的に押さえて保持を図る構成を採ることも可能である。その場合、光学部材の端部が導光板のうちのフレームにより押さえられる端部よりも中央側に引っ込む形で配置されていればよい。それ以外にも、光学部材の端部がフレームに対して表側、つまり導光板側とは反対側に載置される構成を採ることも可能である。
【００９８】
（７）上記した各実施形態では、光拡散シートが導光板の光出射面の表側に直接積層配置される構成のものを例示したが、光拡散シートが導光板の光出射面に対して表側に所定の間隔を空けて配置される構成であっても構わない。その場合、光拡散シートと導光板の光出射面との間には、空気層が介在する構成とすることができるが、それ以外にも他の光学部材が介在する構成としたり、透明な合成樹脂層が介在する構成としたりすることも可能である。
【００９９】
（８）上記した各実施形態では、シート状をなす光拡散シートを例示したが、光拡散シートよりも板厚が大きな板状をなす拡散板にも本発明は適用可能である。
【０１００】
（９）上記した実施形態２，３，９に記載した可変拡散部におけるＬＥＤ配置部及びＬＥＤ非配置部のヘイズ値の変化の仕方を、実施形態６〜８と同様にすることも可能である。
【０１０１】
（１０）上記した実施形態４，５，１０，１１に記載した可変拡散部のヘイズ値の変化の仕方を、実施形態６〜８と同様にすることも可能である。
【０１０２】
（１１）上記した実施形態８では、可変拡散部のヘイズ値が直線的に変化する構成において光拡散シートの全域を可変拡散部とする構成を例示したが、実施形態１のように可変拡散部のヘイズ値が円弧状のカーブを描く形で変化する構成において光拡散シートの全域を可変拡散部とする構成を採ることも可能である。同様に、実施形態８に記載した可変拡散部におけるヘイズ値の変化の仕方を、実施形態７のようにすることも可能である。
【０１０３】
（１２）上記した各実施形態では、光学部材の積層順が裏側から順に光拡散シート、レンズシート、反射型偏光シートとなる場合を示したが、光学部材の具体的な積層順は適宜に変更可能である。その場合、光拡散シートが他の２枚の光学部材の間に挟み込まれる配置とされたり、或いは光拡散シートが最も表側（最も導光板から遠い側）に配置されたりしても構わない。
【０１０４】
（１３）上記した各実施形態では、光学シートに１枚の光拡散シートが含まれる構成のものを示したが、光学シートに複数の拡散シートが含まれる構成であっても構わない。
【０１０５】
（１４）上記した各実施形態では、光学シートに光拡散シート、レンズシート、反射型偏光シートが含まれる場合を示したが、これら以外の種類の光学シートが含まれていても構わない。また、光拡散シート以外の種類の光学シート（レンズシート、反射型偏光シートなど）が複数枚含まれていても構わない。
【０１０６】
（１５）上記した各実施形態では、光学シートが合計３枚用いられる場合を示したが、光学シートの枚数は、３枚以外にも２枚、１枚、４枚以上であっても構わない。
【０１０７】
（１６）上記した各実施形態では、ＬＥＤ及びＬＥＤ基板を導光板における一端面または一対の端面に対して対向状に配したものを示したが、ＬＥＤ及びＬＥＤ基板を導光板における任意の３つの端面に対して対向状に配することも可能である。その場合、光拡散シートにおける合計４つの端側部分のうちの３つの端側部分をそれぞれ可変拡散部とすればよい。
【０１０８】
（１７）上記した（１６）以外にも、ＬＥＤ及びＬＥＤ基板を導光板における４つの端面全てに対して対向状に配することも可能である。その場合、光拡散シートにおける合計４つの端側部分の全てを可変拡散部とし、光拡散シートにおける外周側端部の全域を可変拡散部とすればよい。
【０１０９】
（１８）上記した各実施形態では、ＬＥＤ基板が導光板における１辺に対して１つ配置されるものを示したが、ＬＥＤ基板を導光板における１辺に対して２つ以上配置するようにしてもよい。
【０１１０】
（１９）上記した各実施形態では、液晶パネルが有するカラーフィルタの着色部をＲ，Ｇ，Ｂの３色としたものを例示したが、着色部を４色以上とすることも可能である。
【０１１１】
（２０）上記した各実施形態では、光源としてＬＥＤを用いたものを示したが、有機ＥＬなどの他の光源を用いることも可能である。
【０１１２】
（２１）上記した各実施形態では、液晶表示装置のスイッチング素子としてＴＦＴを用いたが、ＴＦＴ以外のスイッチング素子（例えば薄膜ダイオード（ＴＦＤ））を用いた液晶表示装置にも適用可能であり、カラー表示する液晶表示装置以外にも、白黒表示する液晶表示装置にも適用可能である。
【０１１３】
（２２）上記した各実施形態では、表示パネルとして液晶パネルを用いた液晶表示装置を例示したが、他の種類の表示パネルを用いた表示装置にも本発明は適用可能である。
【０１１４】
（２３）上記した各実施形態では、チューナーを備えたテレビ受信装置を例示したが、チューナーを備えない表示装置にも本発明は適用可能である。具体的には、電子看板（デジタルサイネージ）や電子黒板として使用される液晶表示装置にも本発明は適用することができる。
【符号の説明】
【０１１５】
１０…液晶表示装置（表示装置）、１１…液晶パネル（表示パネル）、１２，９１２，１０１２…バックライト装置（照明装置）、１５ａ，１１５ａ，３１５ａ，４１５ａ，９１５ａ，１０１５ａ…光拡散シート（光拡散部材）、１６，３１６…フレーム（保持部材）、１７，１１７，３１７，４１７，９１７，１０１７…ＬＥＤ（光源）、１９，１１９，３１９，４１９，９１９，１０１９…導光板、１９ａ，３１９ａ…光出射面、１９ｂ，１１９ｂ，３１９ｂ，４１９ｂ，９１９ｂ，１０１９ｂ…光入射面、１９ｃ，３１９ｃ…反対板面、２３ａ…基材、２３ｂ…光拡散粒子、２４，１２４，２２４，３２４，４２４，５２４，６２４，７２４，８２４，９２４，１０２４…可変拡散部、２５，１２５，２２５，３２５，４２５，８２５，９２５，１０２５…一定拡散部、２６…ＬＥＤ配置部（光源配置部）、２７…ＬＥＤ非配置部（光源非配置部）、２８…光反射部、ＬＲＰ…光反射パターン、ＴＶ…テレビ受信装置
【図１】
0006348039.tif 000002
【図２】
0006348039.tif 000003
【図３】
0006348039.tif 000004
【図４】
0006348039.tif 000005
【図５】
0006348039.tif 000006
【図６】
0006348039.tif 000007
【図７】
0006348039.tif 000008
【図８】
0006348039.tif 000009
【図９】
0006348039.tif 000010
【図１０】
0006348039.tif 000011
【図１１】
0006348039.tif 000012
【図１２】
0006348039.tif 000013
【図１３】
0006348039.tif 000014
【図１４】
0006348039.tif 000015
【図１５】
0006348039.tif 000016
【図１６】
0006348039.tif 000017
【図１７】
0006348039.tif 000018
【図１８】
0006348039.tif 000019
【図１９】
0006348039.tif 000020
【図２０】
0006348039.tif 000021
【図２１】
0006348039.tif 000022
【図２２】
0006348039.tif 000023
【図２３】
0006348039.tif 000024